(57)【要約】【課題】複数の記録媒体に記録されているデータの編集結果を１つの記録媒体に集約する場合に、ユーザの作業効率を向上させる。【解決手段】受付部９１は、ユーザからの編集に関する指令を受け付ける。記録制御部９２は、その指令に応じて、第１と第２の光ディスクに記録されているデータの編集結果に関する情報であるエディットリストを作成し、第２の光ディスクに記録させるとともに、第１の光ディスクに記録されているデータのうちの、エディットリストに対応する編集結果を構成するデータである編集データを第２の光ディスクに記録させる。本発明は、例えば、ディスク記録装置に適用することができる。【選択図】図３
2008027492.tif 000002
【特許請求の範囲】
【請求項１】
第１の記録媒体に記録されているデータを、第２の記録媒体に記録させる記録制御装置において、
ユーザからの編集に関する指令を受け付ける受付手段と、
前記受付手段により受け付けられた指令に応じて、前記第１と第２の記録媒体に記録されているデータの編集結果に関する情報である作成編集情報を作成し、前記第２の記録媒体に記録させるとともに、前記第１の記録媒体に記録されているデータのうちの、前記作成編集情報に対応する編集結果を構成するデータである作成編集データを前記第２の記録媒体に記録させる記録制御手段と
を備える記録制御装置。
【請求項２】
サムネイル映像を表示させる表示制御手段
をさらに備え、
前記データは映像データであり、
前記表示制御手段は、前記第１または第２の記録媒体に記録されている映像データに対応するサムネイル映像を表示させ、
前記受付手段は、前記表示制御手段により表示されたサムネイル映像に対するユーザの操作に応じて、前記編集に関する指令を受け付ける
請求項１に記載の記録制御装置。
【請求項３】
前記表示制御手段は、前記第１または第２の記録媒体に記録されている映像データに対応する第１のサムネイル映像を第１の表示領域に表示させるとともに、前記作成編集データに対応する第２のサムネイル映像を第２の表示領域に表示させ、
前記受付手段は、前記第１のサムネイル映像に対する、その第１のサムネイル映像を前記第２の表示領域の所定の位置に移動させるための操作に応じて、前記編集に関する指令を受け付け、
前記記録制御手段は、前記受付手段により受け付けられた指令に応じて、前記操作の対象である前記第１のサムネイル映像に対応する映像データを、前記編集結果を構成する前記所定の位置に対応する再生順序の映像データとして、前記作成編集情報を作成し、前記第２の記録媒体に記録させるとともに、前記第１の記録媒体に記録されているデータのうちの作成編集データを記録させる
請求項２に記載の記録制御装置。
【請求項４】
前記記録制御手段は、前記作成編集情報を作成して前記第２の記録媒体に記録させるとともに、前記第１の記録媒体に記録されているデータのうちの前記作成編集データと、その作成編集データより再生順序が前および後の所定の長さのデータとを前記第２の記録媒体に記録させる
請求項１に記載の記録制御装置。
【請求項５】
前記記録制御手段は、さらに、前記作成編集データより再生順序が前および後の所定の長さのデータを、前記第２の記録媒体に記録されている前記作成編集データに追加する
請求項１に記載の記録制御装置。
【請求項６】
前記第１の記録媒体には、前記第１の記録媒体に記録されているデータの編集結果に関する情報である第１の編集情報が記録されており、
前記第２の記録媒体には、前記第２の記録媒体に記録されているデータの編集結果に関する情報である第２の編集情報が記録されており、
前記記録制御手段は、前記受付手段により受け付けられた指令に応じて、前記第１と第２の記録媒体に記録されている、前記第１と第２の編集情報に対応する編集結果を構成する第１と第２の編集データの作成編集情報を作成し、前記第２の記録媒体に記録させるとともに、前記第１の記録媒体に記録されている前記第１の編集データのうちの前記作成編集データを前記第２の記録媒体に記録させる
請求項１に記載の記録制御装置。
【請求項７】
第１の記録媒体に記録されているデータを、第２の記録媒体に記録させる記録制御装置の記録制御方法において、
ユーザからの編集に関する指令を受け付け、
その受け付けられた指令に応じて、前記第１と第２の記録媒体に記録されているデータの編集結果に関する情報である作成編集情報を作成し、前記第２の記録媒体に記録させるとともに、前記第１の記録媒体に記録されているデータのうちの、前記作成編集情報に対応する編集結果を構成するデータである作成編集データを前記第２の記録媒体に記録させる
ステップを含む記録制御方法。
【請求項８】
第１の記録媒体に記録されているデータを、第２の記録媒体に記録させる処理を、コンピュータに行わせるプログラムにおいて、
ユーザからの編集に関する指令を受け付け、
その受け付けられた指令に応じて、前記第１と第２の記録媒体に記録されているデータの編集結果に関する情報である作成編集情報を作成し、前記第２の記録媒体に記録させるとともに、前記第１の記録媒体に記録されているデータのうちの、前記作成編集情報に対応する編集結果を構成するデータである作成編集データを前記第２の記録媒体に記録させる
ステップを含むプログラム。
【発明の詳細な説明】
【技術分野】
【０００１】
本発明は、記録制御装置および記録制御方法、並びにプログラムに関し、特に、複数の記録媒体に記録されているデータの編集結果を１つの記録媒体に集約する場合に、ユーザの作業効率を向上させることができるようにした再生装置および再生方法、並びにプログラムに関する。
【背景技術】
【０００２】
従来、ユーザの編集作業に応じて、複数のメモリカードに記録された映像音声ファイルを再生対象とする再生リストを作成する映像記録再生装置がある。（例えば、特許文献１参照）。この映像記録再生装置では、ユーザが再生リストにしたがった再生を指示すると、再生リストに基づいて複数のメモリカードに記録された映像音声ファイルが連続して再生され、送出される。
【０００３】
また、記録媒体にデータを記録させる場合に、そのデータが記録順に再生されるように再生リストを作成する映像記録再生装置がある。
【０００４】
【特許文献１】特開平２００５−２３６９５０号公報
【発明の開示】
【発明が解決しようとする課題】
【０００５】
しかしながら、複数の記録媒体に記録されているデータの編集結果を１つの記録媒体に集約する場合、特許文献１に記載されている映像記録再生装置では、ユーザは、まず最初に編集作業を行い、その後、再生リストにしたがった再生を指示する必要があり、ユーザの作業効率が悪かった。
【０００６】
本発明は、このような状況に鑑みてなされたものであり、複数の記録媒体に記録されているデータの編集結果を１つの記録媒体に集約する場合に、ユーザの作業効率を向上させることができるようにするものである。
【課題を解決するための手段】
【０００７】
本発明の一側面の記録制御装置は、第１の記録媒体に記録されているデータを、第２の記録媒体に記録させる記録制御装置において、ユーザからの編集に関する指令を受け付ける受付手段と、前記受付手段により受け付けられた指令に応じて、前記第１と第２の記録媒体に記録されているデータの編集結果に関する情報である作成編集情報を作成し、前記第２の記録媒体に記録させるとともに、前記第１の記録媒体に記録されているデータのうちの、前記作成編集情報に対応する編集結果を構成するデータである作成編集データを前記第２の記録媒体に記録させる記録制御手段とを備える。
【０００８】
前記記録制御装置は、サムネイル映像を表示させる表示制御手段をさらに設け、前記データは映像データであり、前記表示制御手段は、前記第１または第２の記録媒体に記録されている映像データに対応するサムネイル映像を表示させ、前記受付手段は、前記表示制御手段により表示されたサムネイル映像に対するユーザの操作に応じて、前記編集に関する指令を受け付けることができる。
【０００９】
前記表示制御手段は、前記第１または第２の記録媒体に記録されている映像データに対応する第１のサムネイル映像を第１の表示領域に表示させるとともに、前記作成編集データに対応する第２のサムネイル映像を第２の表示領域に表示させ、前記受付手段は、前記第１のサムネイル映像に対する、その第１のサムネイル映像を前記第２の表示領域の所定の位置に移動させるための操作に応じて、前記編集に関する指令を受け付け前記記録制御手段は、前記受付手段により受け付けられた指令に応じて、前記操作の対象である前記第１のサムネイル映像に対応する映像データを、前記編集結果を構成する前記所定の位置に対応する再生順序の映像データとして、前記作成編集情報を作成し、前記第２の記録媒体に記録させるとともに、前記第１の記録媒体に記録されているデータのうちの作成編集データを記録させることができる。
【００１０】
前記記録制御手段は、前記作成編集情報を作成して前記第２の記録媒体に記録させるとともに、前記第１の記録媒体に記録されているデータのうちの前記作成編集データと、その作成編集データより再生順序が前および後の所定の長さのデータとを前記第２の記録媒体に記録させることができる。
【００１１】
前記記録制御手段は、さらに、前記作成編集データより再生順序が前および後の所定の長さのデータを、前記第２の記録媒体に記録されている前記作成編集データに追加することができる。
【００１２】
前記第１の記録媒体には、前記第１の記録媒体に記録されているデータの編集結果に関する情報である第１の編集情報が記録されており、前記第２の記録媒体には、前記第２の記録媒体に記録されているデータの編集結果に関する情報である第２の編集情報が記録されており、前記記録制御手段は、前記受付手段により受け付けられた指令に応じて、前記第１と第２の記録媒体に記録されている、前記第１と第２の編集情報に対応する編集結果を構成する第１と第２の編集データの作成編集情報を作成し、前記第２の記録媒体に記録させるとともに、前記第１の記録媒体に記録されている前記第１の編集データのうちの前記作成編集データを前記第２の記録媒体に記録させることができる。
【００１３】
本発明の一側面の記録制御方法は、第１の記録媒体に記録されているデータを、第２の記録媒体に記録させる記録制御装置の記録制御方法において、ユーザからの編集に関する指令を受け付け、その受け付けられた指令に応じて、前記第１と第２の記録媒体に記録されているデータの編集結果に関する情報である作成編集情報を作成し、前記第２の記録媒体に記録させるとともに、前記第１の記録媒体に記録されているデータのうちの、前記作成編集情報に対応する編集結果を構成するデータである作成編集データを前記第２の記録媒体に記録させるステップを含む。
【００１４】
本発明の一側面のプログラムは、第１の記録媒体に記録されているデータを、第２の記録媒体に記録させる処理を、コンピュータに行わせるプログラムにおいて、ユーザからの編集に関する指令を受け付け、その受け付けられた指令に応じて、前記第１と第２の記録媒体に記録されているデータの編集結果に関する情報である作成編集情報を作成し、前記第２の記録媒体に記録させるとともに、前記第１の記録媒体に記録されているデータのうちの、前記作成編集情報に対応する編集結果を構成するデータである作成編集データを前記第２の記録媒体に記録させるステップを含む。
【００１５】
本発明の一側面においては、ユーザからの編集に関する指令が受け付けられ、その受け付けられた指令に応じて、第１と第２の記録媒体に記録されているデータの編集結果に関する情報である作成編集情報が作成され、前記第２の記録媒体に記録されるとともに、前記第１の記録媒体に記録されているデータのうちの、前記作成編集情報に対応する編集結果を構成するデータである作成編集データが前記第２の記録媒体に記録される。
【００１６】
本発明の一側面の記録制御装置は、独立した装置であっても良いし、記録再生装置の記録制御処理を行うブロックであっても良い。
【発明の効果】
【００１７】
以上のように、本発明の一側面によれば、複数の記録媒体に記録されているデータの編集結果を１つの記録媒体に集約する場合に、ユーザの作業効率を向上させることができる。
【発明を実施するための最良の形態】
【００１８】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００１９】
本発明の一側面の記録制御装置は、
第１の記録媒体(例えば、図２の光ディスク２２Ａ)に記録されているデータを、第２の記録媒体(例えば、図２の光ディスク２１Ａ)に記録させる記録制御装置(例えば、図２のビデオ編集装置２３)において、
ユーザからの編集に関する指令を受け付ける受付手段(例えば、図３の受付部９１)と、
前記受付手段により受け付けられた指令に応じて、前記第１と第２の記録媒体に記録されているデータの編集結果に関する情報である作成編集情報を作成し、前記第２の記録媒体に記録させるとともに、前記第１の記録媒体に記録されているデータのうちの、前記作成編集情報に対応する編集結果を構成するデータである作成編集データを前記第２の記録媒体に記録させる記録制御手段(例えば、図３の記録制御部９２)と
を備える。
【００２０】
本発明の一側面の記録制御装置は、
サムネイル映像を表示させる表示制御手段（例えば、図３の表示制御部９３）
をさらに備え、
前記データは映像データであり、
前記表示制御手段は、前記第１または第２の記録媒体に記録されている映像データに対応するサムネイル映像を表示させ、
前記受付手段は、前記表示制御手段により表示されたサムネイル映像に対するユーザの操作に応じて、前記編集に関する指令を受け付ける。
【００２１】
本発明の一側面の記録制御方法は、
第１の記録媒体(例えば、図２の光ディスク２２Ａ)に記録されているデータを、第２の記録媒体(例えば、図２の光ディスク２１Ａ)に記録させる記録制御装置（例えば、図２のビデオ編集装置２３）の記録制御方法において、
ユーザからの編集に関する指令を受け付け（例えば、図１４のステップＳ９６）、
その受け付けられた指令に応じて、前記第１と第２の記録媒体に記録されているデータの編集結果に関する情報である作成編集情報を作成し、前記第２の記録媒体に記録させるとともに(例えば、図１６のエディットリスト作成処理)、前記第１の記録媒体に記録されているデータのうちの、前記作成編集情報に対応する編集結果を構成するデータである作成編集データを前記第２の記録媒体に記録させる(例えば、図１５のステップＳ４５)
ステップを含む。
【００２２】
以下、本発明を適用した具体的な実施の形態について、図面を参照しながら詳細に説明する。
【００２３】
図１は、本発明を適用した簡易編集システム１の一実施の形態の構成例を示している。
【００２４】
図１の簡易編集システム１は、例えば、収録されたテレビジョン番組の簡易編集に用いられる簡易編集システムである。テレビジョン番組の簡易編集の工程は、基本的に、ディスク集約、ビデオ編集、ＶＯ付加、および、白パケ伝送または白パケ記録に分類される。
【００２５】
ディスク集約は、複数の光ディスクに収録されたテレビジョン番組を構成する各場面の映像データや音声データ等の素材データを、１つの光ディスクに集約する工程である。ビデオ編集は、素材データの必要な範囲を選択し、意図する順番に並べることによりノンリニア編集を行う工程である。
【００２６】
ＶＯ付加は、ビデオ編集の編集結果を構成する素材データ(以下、編集データという)と同時に、ナレーション等の音声データであるＶＯデータが再生されるように、ＶＯデータを記録することにより、編集結果にＶＯを付加する工程である。白パケ伝送は、ＶＯ付加後の編集結果を、白パケとして、放送局等に伝送する工程である。なお、白パケとは、まだ文字や図形のスーパーインポーズによる仕上げがなされていない未完成のデータを指す。白パケ記録は、白パケを光ディスク等に記録する工程である。
【００２７】
図１の簡易編集システム１は、このような各工程における作業を支援する簡易編集支援システムである。簡易編集システム１は、カムコーダ２１と２２、ビデオ編集装置２３、ＶＯ付加装置２４、および白パケ記録装置２５により構成される。
【００２８】
カムコーダ２１と２２は、テレビジョン番組であるニュース番組の収録や、スポーツ等の試合の模様、映画などの撮影（音声の取得も含む）に使用される装置である。カムコーダ２１と２２は、被写体を撮影して得られた素材データ等を、ファイル単位で光ディスク２１Ａまたは光ディスク２２Ａに記録する。
【００２９】
また、カムコーダ２１と２２は、ユーザの入力に基づいて、収録に関する情報等のように、例えば、後段のビデオ編集時に有用となる情報等を生成し、カムコーダ２１と２２において得られた素材データにメタデータとして関連付ける。
【００３０】
素材データや、それに関連付けられるメタデータが記録された光ディスク２１Ａまたは２２Ａは、ビデオ編集装置２３の内部の光ディスクドライブ６７（後述する図２）または外部の光ディスクドライブ２３Ａに装着される。
【００３１】
ビデオ編集装置２３は、その内部の光ディスクドライブ６７または外部の光ディスクドライブ２３Ａに装着される光ディスク２１Ａまたは２２Ａに収録されたテレビジョン番組を構成する各場面の素材データのノンリニア編集と、光ディスク２１Ａまたは２２Ａのいずれか一方への編集データの集約とに使用される装置である。
【００３２】
なお、以下では、編集データの集約先（複写先）は、光ディスク２１Ａであり、集約元（複写元）は、光ディスク２２Ａであるものとして説明する。
【００３３】
ビデオ編集装置２３は、ユーザの入力に応じて、光ディスク２１Ａまたは２２Ａに記録されている素材データのノンリニア編集を行い、その編集結果に関する情報であるエディットリスト（編集情報）を作成して、光ディスク２１Ａに記録させるとともに、光ディスク２２Ａに記録されている素材データのうちの編集データ等を光ディスク２１Ａに複写する。
【００３４】
ＶＯ付加装置２４は、ビデオ編集装置２３により得られる編集結果へのＶＯの付加に使用される装置である。ＶＯ付加装置２４には、素材データとエディットリストが記録されている光ディスク２１Ａが装着され、マイクロフォン２４Ａが接続されている。
【００３５】
ＶＯ付加装置２４は、光ディスク２１Ａに記録されているエディットリストにしたがって、編集データを再生し、再生中にマイクロフォン２４Ａに入力される音声をＶＯとして編集結果に付加する。即ち、ＶＯ付加装置２４は、再生中の編集データと同時に、その編集データの再生中に入力された音声のデータであるＶＯデータが再生されるように、ＶＯデータを光ディスク２１Ａに記録する。
【００３６】
白パケ記録装置２５は、ＶＯ付加後の編集結果の白パケとしての伝送または記録に使用される装置である。白パケ記録装置２５には、内部のドライブ（図示せず）に、ＶＯ付加装置２４によりＶＯデータが記録された後の光ディスク２１Ａが装着され、その光ディスク２１Ａに記録されているエディットリストにしたがって、光ディスク２１Ａに記録されている素材データとＶＯデータを白パケとして同時に再生し、その白パケをベースバンドとして、FPU(Field Pickup Unit)やSNG(Satellite News Gathering)を用いて放送局２６に伝送する。
【００３７】
また、白パケ記録装置２５は、ＶＯデータが記録された後の光ディスク２１Ａに記録されているエディットリストにしたがって、光ディスク２１Ａに記録されている編集データを接続し、その編集データに含まれる所定のチャンネルの音声データに、所定のチャンネルのＶＯデータを上書きして、その結果得られる素材データを、白パケを一本化したファイルとして、放送局２６にFTP(File Transfer Protocol)やFAM（File Access Mode）に準拠して送信する。
【００３８】
このFAMは、i.LINK(商標)におけるデータの取り扱い形式のうち、ファイル形式のデータを送受信する形式である。放送局２６は、例えば、白パケを一本化したファイルを、図示せぬ光ディスク等に記録することにより、白パケが一本化されたファイルを記録する光ディスク等を作成する。
【００３９】
なお、ＶＯデータが記録された光ディスク２１Ａは、放送局２６に郵送されるようにしてもよい。
【００４０】
放送局２６は、以上のようにして白パケ記録装置２５から送信された白パケを用いて、文字や図形のスーパーインポーズによる仕上げなどを行い、テレビジョン番組として完成されたＡＶ(Audio Video)データであるカンパケを作成する。
【００４１】
なお、白パケを一本化したファイルは、光ディスク２１Ａの記録領域のうち、まだ何も記録されていない未記録領域に記録されたり、白パケ記録装置２５に接続されたドライブ２５Ａに装着される光ディスク２７に記録されるようにしてもよい。
【００４２】
また、図１では、カムコーダ２１と２２、ビデオ編集装置２３、ＶＯ付加装置２４、白パケ記録装置２５が、それぞれ別々の装置であるものとしたが、それらの一部または全部が一体化されていてもよい。
【００４３】
さらに、図１では、光ディスク２１Ａと２２Ａがビデオ編集装置２３の内部の光ディスクドライブ６７または外部の光ディスクドライブ２３Ａに装着され、ビデオ編集装置２３が、装着された光ディスク２１Ａと２２Ａに対する読み出しまたは記録を行うものとしたが、ビデオ編集装置２３が、光ディスク２１Ａが装着されたカムコーダ２１と、光ディスク２２Ａが装着されたカムコーダ２２とネットワークを介して接続され、そのネットワークを介して、光ディスク２１Ａと２２Ａに対する読み出しまたは記録を行うようにしてもよい。
【００４４】
また、以下では、カムコーダ２１と２２を区別する必要がない場合、それらをまとめてカムコーダ２０という。
【００４５】
図２は、図１のビデオ編集装置２３のハードウェアの構成例を示すブロック図である。
【００４６】
図２のビデオ編集装置２３では、映像入力I/F（Interface）５０、音声入力I/F５１、マイコン５２、一時記憶メモリI/F５３、光ディスクドライブI/F５４および５５、操作部I/F５６、ベースバンド出力I/F５７、音声出力I/F５８、シリアルデータI/F５９、映像表示I/F６０、メモリカードI/F６１、ネットワークI/F６２、ハードディスクドライブI/F６３、並びにドライブI/F６４が、データバスを介して、システムバス６５に接続されている。
【００４７】
映像入力I/F５０には、外部に設けられたカメラ４１が接続されており、カメラ４１により撮影された結果得られる映像信号が、カメラ４１から入力される。映像入力I/F５０は、その映像信号に含まれる、SDI（Serial Digital Interface）規格に準拠した信号、コンポジット信号、コンポーネント信号などの同期信号を、映像データとして、システムバス６５を介して、映像表示I/F６０などに供給する。
【００４８】
音声入力I/F５１には、図示せぬマイクロフォンなどにより取得された周囲の音声の音声信号が入力される。音声入力I/F５１は、その音声信号に対してA/D（Analog/Digital）変換を行い、その結果得られるデジタル信号を、システムバス６５を介して音声出力I/F５８などに供給する。
【００４９】
マイコン５２は、CPU(Central Processing Unit)、ROM(Read Only Memory)、およびRAM（Random Access Memory）により構成される。マイコン５２のCPUは、ROMまたはハードディスク６９に記録されているプログラムにしたがって、操作部I/F５６からの操作信号などに応じて、ビデオ編集装置２３の各部を制御する。RAMには、CPUが実行するプログラムやデータなどが適宜記憶される。
【００５０】
一時記憶メモリI/F５３には、バッファなどの一時記憶メモリ６６が接続されており、一時記憶メモリI/F５３は、光ディスクドライブI/F５３または５４から供給されるプロキシデータなどを、一時記憶メモリ６６に記憶させる。このプロキシデータは、素材データのデータ量を少なくしたデータである。
【００５１】
また、一時記憶メモリI/F５３は、一時記憶メモリ６６に記憶されているプロキシデータのうち、音声データをシステムバス６５を介して音声出力I/F５８に供給し、映像データをシステムバス６５を介して映像表示I/F６０に供給する。
【００５２】
光ディスクドライブI/F５４には、光ディスク２１Ａが装着された光ディスクドライブ６７が接続されている。光ディスクドライブI/F５４は、光ディスクドライブ６７を制御して、光ディスク２１Ａからプロキシデータを読み出し、システムバス６５を介して一時記憶メモリI/F５３に供給したり、素材データを読み出し、システムバス６５を介してベースバンド出力I/F５７に供給する。また、光ディスクドライブI/F５４は、光ディスクドライブ６７を制御し、光ディスクドライブI/F５５から供給される、編集データを光ディスク２１Ａに記録させる。
【００５３】
光ディスクドライブI/F５５には、光ディスク２２Ａが装着された光ディスクドライブ２３Ａが接続されている。光ディスクドライブI/F５５は、光ディスクドライブ２３Ａを制御して、光ディスク２２Ａからプロキシデータを読み出し、システムバス６５を介して一時記憶メモリI/F５３に供給する。また、光ディスクドライブI/F５５は、光ディスクドライブ２３Ａを制御して、光ディスク２２Ａから編集データを読み出し、光ディスクドライブI/F５４に供給する。
【００５４】
操作部I/F５６には、外部に設けられたキーボード、マウス、リモートコントローラから送信されてくる指令を受信する受信部などの操作部４２が接続される。操作部I/F５６は、ユーザによる操作部４２の操作に応じて操作信号を生成し、その操作信号を、システムバス６５を介してマイコン５２に供給する。
【００５５】
ベースバンド出力I/F５７は、光ディスクドライブI/F５４からの素材データをベースバンドとして、FPU装置やSNG装置に出力する。例えば、ベースバンド出力I/F５７は、光ディスクドライブI/F５４から供給される編集データを、ベースバンドとして、FPU装置やSNG装置に出力する。
【００５６】
音声出力I/F５８には、外部に設けられたスピーカ４３が接続され、音声出力I/F５８は、音声入力I/F５１から供給される音声データに対して、D/A（Digital/Audio）変換を行い、その結果得られるアナログ信号を増幅して、スピーカ４３に供給する。スピーカ４３は、音声出力I/F５８からのアナログ信号に基づいて、音声を外部に出力する。なお、音声出力I/F５８は、音声データをそのままスピーカ４３に供給し、スピーカ４３が、D/A変換等を行い、その結果得られるアナログ信号に基づいて音声を外部に出力するようにしてもよい。
【００５７】
シリアルデータI/F５９は、必要に応じて、図示せぬ外部のコンピュータ等のデジタル機器との間で、データをやり取りする。映像表示I/F６０には、外部に設けられた映像モニタ４４が接続され、映像表示I/F６０は、一時記憶メモリI/F５３からの映像データに対して、D/A変換を行い、その結果得られるコンポジット信号、コンポーネント信号などのアナログ信号を増幅して、映像モニタ４４に供給する。映像モニタ４４は、映像表示I/F６０からのアナログ信号に基づいて映像を表示する。
【００５８】
なお、映像モニタ４４には、映像とともに、その映像に対応するタイムコードが表示されるようにしてもよい。
【００５９】
また、映像表示I/F６０は、映像データをそのまま映像モニタ４４に供給し、映像モニタ４４が、D/A変換等を行い、その結果得られるアナログ信号に基づいて映像を表示するようにしてもよい。
【００６０】
メモリカードI/F６１は、必要に応じてビデオ編集装置２３に装着されるメモリカード(図示せず)に対して、映像データ、音声データ、各種の設定データなどの読み書きを行う。ネットワークI/F６２は、必要に応じて、インターネットやローカルエリアネットワークなどのネットワークを介して接続される他の装置との間で、データのやり取りを行う。
【００６１】
例えば、ネットワークI/F６２は、他の装置からネットワークを介してプログラムを取得し、システムバス６５、ハードディスクドライブI/F６３、およびハードディスクドライブ６８を介して、ハードディスク６９に記録させる。
【００６２】
ハードディスクドライブI/F６３には、ハードディスク６９が装着されたハードディスクドライブ６８が接続されている。ハードディスクドライブI/F６３は、ハードディスクドライブ６８を制御し、ハードディスク６９に対するデータの読み書きを行う。例えば、ハードディスクドライブI/F６３は、ハードディスクドライブ６８を制御し、ネットワークI/F６２とシステムバス６５を介して供給されるプログラムをハードディスク６９に記録させる。
【００６３】
ドライブI/F６４には、ドライブ７０が接続されている。ドライブI/F６４は、ドライブ７０を制御し、ドライブ７０に磁気ディスク、光ディスク、光磁気ディスク、或いは半導体メモリなどのリムーバブルメディア４５が装着されたとき、それらを駆動し、そこに記録されているプログラムやデータなどを取得する。取得されたプログラムやデータは、必要に応じてハードディスクドライブI/F６３などを介してハードディスク６９に転送され、記録される。
【００６４】
システムバス６５は、そこにデータバスを介して接続されている各部の間でのデータのやり取りを仲介する。
【００６５】
次に、図２のビデオ編集装置２３において、マイコン５２は、所定のプログラムを実行することにより光ディスク２１Ａに編集データを集約する集約部として機能する。
【００６６】
図３は、そのような集約部８０の機能的構成例を示している。
【００６７】
図３の集約部８０は、複写先(集約先)である光ディスク２１Ａに対する処理を行う複写先処理部８１と、複写元（集約元）である光ディスク２２Ａに対する処理を行う複写元処理部８２とにより構成される。
【００６８】
複写先処理部８１は、受付部９１、記録制御部９２、および表示制御部９３により構成される。
【００６９】
受付部９１は、図２の操作部I/F５６から供給される、編集に関する指令を行うための操作に対応する操作信号を受け付け、その操作信号を記録制御部９２または表示制御部９３に供給する。
【００７０】
記録制御部９２は、受付部９１からの操作信号に応じて、光ディスク２１Ａと２２Ａに記録されている素材データのノンリニア編集を行うとともに、その編集結果の編集データを光ディスク２１Ａに集約する。
【００７１】
具体的には、記録制御部９２は、受付部９１からの操作信号に応じて、光ディスク２１Ａと２２Ａに記録されている素材データの編集結果に関する情報であるエディットリストを作成し、光ディスクドライブI/F５４を制御して、光ディスク２１Ａに記録させる。
【００７２】
また、記録制御部９２は、受付部９１からの操作信号に応じて、クリップ単位の編集データ（以下、サブクリップという）に関する情報であるクリップ単位のエディットリスト（以下、クリップエディットリストという）を作成し、複写元処理部８２の記録制御部１０２に送信する。
【００７３】
なお、クリップとは、カムコーダ２０の撮影処理の回数の単位である。またそれ以外にも、クリップは、その撮影処理の撮影開始から撮影終了までの時間を示す単位を示したり、その撮影処理により得られた各種のデータの長さを示す単位を示したり、その撮影処理により得られた各種のデータのデータ量を示す単位を示す。さらに、クリップは、その各種のデータの集合体そのものも示す場合もある。
【００７４】
ここでは、クリップとは、例えば、１回の撮影処理（撮影開始から撮影終了までの撮影処理）により得られた素材データ、メタデータ等の集合体を指す。
【００７５】
さらに、記録制御部９２は、受付部９１からの操作信号に応じて、光ディスク２２Ａに記録されている素材データのうちのサブクリップ、または、サブクリップより再生順序が前および後の所定の長さの素材データ（以下、余裕データという）が付加されたサブクリップを、複写元処理部８２の読出部１０１に要求し、その要求に応じて送信されてくるサブクリップまたは余裕データが付加されたサブクリップを光ディスク２１Ａに記録させる。
【００７６】
このように、記録制御部９２は、必要に応じて、サブクリップだけでなく、余裕データも光ディスク２１Ａに記録させるので、編集区間の開始位置または終了位置を余裕データの長さの範囲内で変更する編集を行う場合、光ディスク２１Ａへの編集データの集約のために、サブクリップを新たに光ディスク２１Ａに記録させる必要はない。その結果、ユーザによる編集作業の効率を向上させることができる。
【００７７】
表示制御部９３は、受付部９１からの操作信号に応じて、映像モニタ４４に各種の画面を表示させる。具体的には、例えば、表示制御部９３は、受付部９１からの操作信号に応じて、光ディスクドライブI/F５４を制御し、光ディスク２１Ａに記録されているプロキシデータを読み出すとともに、光ディスク２２Ａに記録されているプロキシデータの読み出しを複写元処理部８２に要求し、その要求に応じて送信されてくるプロキシデータを受信する。
【００７８】
また、表示制御部９３は、光ディスク２１Ａまたは２２Ａから読み出されたプロキシデータのうちの、例えば先頭の映像のプロキシデータに基づいて、サムネイル映像を表示させるための映像データ(以下、サムネイル映像データという)を作成する。そして、表示制御部９３は、映像表示I/F６０を制御し、サムネイル映像データ等を用いて、ユーザが編集に関する指令を行うための画面である編集画面を映像モニタ４４に表示させる。
【００７９】
ユーザは、映像モニタ４４に表示された編集画面を見ながら、操作部４２を操作することにより、編集に関する指令を行う。この指令に対応する操作信号は、受付部９１により受け付けられる。
【００８０】
複写元処理部８２は、読出部１０１と記録制御部１０２により構成される。
【００８１】
読出部１０１は、記録制御部９２からの要求に応じて、光ディスクドライブI/F５５を制御し、光ディスク２２Ａからサブクリップ、または、余裕データが付加されたサブクリップを読み出し、記録制御部９２に供給する。読出部１０１は、表示制御部９３からの要求に応じて、光ディスクドライブI/F５５を制御し、光ディスク２２Ａからプロキシデータを読み出し、表示制御部９３に供給する。
【００８２】
記録制御部１０２は、光ディスクドライブI/F５５を制御し、記録制御部９２からのクリップエディットリストを、光ディスク２２Ａに記録させる。
【００８３】
図４は、光ディスク２１Ａに記録されているファイルのディレクトリ構造の例を示している。
【００８４】
図４において、シンボル１２１は、１つのディレクトリを表している。なお、符号は付していないが、シンボル（ディレクトリ）１２１と同一のその他のシンボルも、１つのディレクトリを表している。また、シンボル１２２は、１つのファイルを示している。なお、符号は付していないが、シンボル（ファイル）１２２と同一のその他のシンボルも、１つのファイルを示している。
【００８５】
なお、以下、特に断りの無い限り、ディレクトリとディレクトリのシンボルとは同一であるとみなして説明する。同様に、ファイルとファイルのシンボルとは同一であるとみなして説明する。また、各ディレクトリのそれぞれ、および、各ファイルのそれぞれの識別を容易なものとするために、以下、ファイルまたはディレクトリの後方に括弧（  ）書きでその名称を記載する。
【００８６】
図４の例では、光ディスク２１Ａには、目次を記述するデータのファイルであり、クリップおよびエディットリストを管理するための情報を記述するインデックスファイル(INDEX.XML)１２２と、光ディスク２１Ａの代表画のパス、光ディスク２１Ａのタイトルまたはコメントを記述するディスクメタデータのファイルであるディスクメタファイル（DISCMETA.XML）とが設けられている。
【００８７】
また、光ディスク２１Ａには、クリップのファイルが下位に設けられるクリップディレクトリ（Clip）１２１、エディットリストのファイルが下位に設けられるエディットリストディレクトリ（Edit）、およびプロキシデータのファイルが下位に設けられるプロキシディレクトリ（Sub）が設けられている。
【００８８】
クリップディレクトリ(Clip)１２１には、光ディスク２１Ａに記録されているクリップが、クリップ毎に異なるファイルとして記録されている。
【００８９】
具体的には、例えば、図４は、光ディスク２１Ａに４つのクリップのデータが記録されている場合の例を示している。
【００９０】
即ち、例えば、クリップディレクトリ１２１の下位には、光ディスク２１Ａに記録された最初のクリップの素材データのファイルである第１のクリップファイル（C0001.MXF）と、このクリップの素材データに対応する、リアルタイム性を要求されないメタデータ（以下、ノンリアルタイムメタデータという）を含むファイルである第１のノンリアルタイムメタデータファイル（C0001M01.XML）とが設けられている。
【００９１】
なお、図４の例では、ノンリアルタイムメタデータファイル（C0001M01.XML）は、汎用性を持たせるためにXML形式で記述されている。
【００９２】
また、クリップディレクトリ１２１の下位には、第１のクリップファイル（C0001.MXF）と第１のノンリアルタイムメタデータファイル（C0001M01.XML）と同様に、第２のクリップファイル（C0002.MXF）と第２のノンリアルタイムメタデータファイル（C0002M01.XML）、第３のクリップファイル（C0003.MXF）と第３のノンリアルタイムメタデータファイル（C0003M01.XML）、並びに第４のクリップファイル（C0004.MXF）と第４のノンリアルタイムメタデータファイル（C0004M01.XML）が設けられている。
【００９３】
図４において、このようなクリップディレクトリ（Clip）１２１の下方に示される、エディットディレクトリ（Edit）には、光ディスク２１Ａに記録されているエディットリストが、編集処理ごとに異なるファイルとして記録されている。
【００９４】
例えば、図４の例の場合、エディットディレクトリ（Edit）の下位には、光ディスク２１Ａに記録されたクリップの１回目の編集処理の編集結果に関する情報であるエディットリストを含むファイルである第１のエディットリストファイル（E0001E01.SMI）と、編集データ（編集に用いられた全クリップの素材データのうち、編集データとして抽出された部分）に対応するメタデータ、または、そのメタデータに基づいて新たに生成されたメタデータを含むファイルである第１のエディットリスト用メタデータファイル（E0001M01.XML）とが設けられている。
【００９５】
また、エディットディレクトリの下位には、第１のエディットリストファイル（E0001E01.SMI）と第１のエディットリスト用メタデータファイル（E0001M01.XML）と同様に、光ディスク２１Ａに記録されたクリップの２回目の編集処理に対応する第２のエディットリストファイル（E0002E01.SMI）と第２のエディットリスト用メタデータファイル（E0002M01.XML）、並びに光ディスク２１Ａに記録されたクリップの３回目の編集処理に対応する第３のエディットリストファイル（E0003E01.SMI）と第３のエディットリスト用メタデータファイル（E0003M01.XML）が設けられている。
【００９６】
また、図４において、このようなエディットディレクトリ（Edit）の下方に示される、プロキシディレクトリ（Sub）には、光ディスク２１Ａに記録されているクリップのプロキシデータが、クリップ毎に異なるファイルとして記録されている。
【００９７】
例えば、図４の例の場合、プロキシディレクトリ（Sub）の下位には、光ディスク２１Ａに記録された最初のクリップのプロキシデータのファイルである第１のプロキシファイル（C0001S01.MXF）、第２のクリップのプロキシデータのファイルである第２のプロキシファイル（C0002S01.MXF）、第３のクリップのプロキシデータのファイルである第３のプロキシファイル（C0003S01.MXF）、並びに第４のクリップのプロキシデータのファイルである第４のプロキシファイル（C0004S01.MXF）が設けられる。
【００９８】
さらに、光ディスク２１Ａには、クリップに関するデータ以外のデータのファイルが設けられる一般ディレクトリ（General）が設けられている。
【００９９】
なお、光ディスク２２Ａに記録されているファイルのディレクトリ構造も、図４に示したディレクトリ構造と同様に構成される。
【０１００】
図５は、図４のクリップファイルのフォーマットの例を示している。
【０１０１】
ここで、図５では、ボディに配置される素材データとして、MPEG(Moving Picture Experts Group)2方式で符号化された映像データと、リニアPCM（Pulse Code Modulation）形式の音声データを、それぞれ採用した場合のフォーマットを示している。
【０１０２】
なお、ボディには、その他、DV(Digital Video)等の各種のフォーマットの映像データと音声データを配置することが可能である。
【０１０３】
図５に示すように、１フレーム分のリアルタイム性を要求されるメタデータ（以下、リアルタイムメタデータという）が配置されるシステムアイテム、MPEG2方式で符号化された映像データ、およびリニアPCM形式で符号化された音声データが、１クリップ分まとめてボディに配置され、さらに、そのボディにヘッダとフッタが付加されて、クリップファイルが構成される。
【０１０４】
ここで、システムアイテム、映像データ、音声データは、KLV(Key,Length,Value)構造にKLVコーディングされて配置される。
【０１０５】
KLV構造とは、その先頭から、キー(Key)、レングス(Length)、バリュー(Value)が順次配置された構造であり、キーには、バリューに配置されるデータがどのようなデータであるかを表す、SMPTE 298Mの規格に準拠した１６バイトのラベルが配置される。レングスには、バリューに配置されるデータのデータ長が配置される。バリューには、実データ、即ち、ここでは、１フレームのリアルタイムメタデータが配置されるシステムアイテム、映像データ、または音声データが配置される。
【０１０６】
また、KLVコーティングされたシステムアイテム、映像データ、および音声データは、そのデータ長が、KAG(KLV Alignment Grid)を基準とする固定長となっている。そして、KLVコーティングされたシステムアイテム、映像データ、および音声データを固定長とするのに、スタッフィング(stuffing)のためのデータとしてのフィラー(Filler)が、やはりKLV構造とされて、KLVコーティングされたシステムアイテム、映像データ、および音声データのそれぞれの後に配置される。
【０１０７】
ヘッダには、その先頭から、ヘッダパーティションパック(Header Partition Pack)、ヘッダメタデータ(Header Metadata)、インデックステーブル(Index Table)が順次配置される。ヘッダパーティションパックには、ファイルフォーマット(例えば、MXF(Material eXchange Format))を表すデータであるパーティションメタデータ、ボディの長さ、ボディの開始位置、ボディに配置されるデータの形式（符号化方式）を表すデータなどが配置される。ヘッダメタデータには、例えば、MPUMID（Material Package Unique Material IDentifier）、FPUMID（File Package UMID）、先頭タイムコード、ファイルの作成日や、ボディに配置されたデータに関する情報(例えば、映像の画素数、アスペクト比など)が配置される。
【０１０８】
なお、MPUMIDとは、ボディに配置されるデータをグローバルユニークに識別するための固有の識別子であって、SMPTE（Society of Motion Picture and Television Engineers）により定められる識別子を指す。また、FPUMIDとは、ファイルをグローバルユニークに識別するための固有の識別子であって、SMPTEにより定められる識別子を指す。
【０１０９】
インデックステーブルには、ボディに配置されたデータを管理するためのデータなどが配置される。フッタは、フッタパーティションパック(Footer Partition Pack)で構成され、フッタパーティションパックには、フッタを特定するためのデータなどが配置される。
【０１１０】
次に、図６乃至図１２は、図３の表示制御部９３が表示させる編集画面の例を示す図である。
【０１１１】
まず最初に、ユーザにより、ビデオ編集の開始が指令されると、映像モニタ４４には、編集画面の１つである図６のクリップ選択画面１４０が表示される。図６のクリップ選択画面１４０は、複写元用表示部１４１、複写先用表示部１４２、カーソル１４３、上方向ボタン１４４Ａと下方向ボタン１４４Ｂ、左方向ボタン１４５Ａと右方向ボタン１４５Ｂ、選択ボタン１４６、および決定ボタン１４７により構成される。
【０１１２】
複写元用表示部１４１には、複写元である光ディスク２２Ａに記録されているクリップファイルの名称が表示される。図６の例では、光ディスク２２Ａのファイルのディレクトリ構造は、図４に示したディレクトリ構造となっており、複写元用表示部１４１には、クリップファイル（C0001.MXF乃至C0004.MXF）の名称「C0001」、「C0002」、「C0003」、および「C0004」が表示されている。
【０１１３】
複写先用表示部１４２には、複写先である光ディスク２１Ａに記録されているクリップファイルの名称が表示される。図６の例では、光ディスク２１Ａのファイルのディレクトリ構造は、図４に示したディレクトリ構造となっており、複写先用表示部１４２には、クリップファイル（C0001.MXF乃至C0004.MXF）の名称「C0001」、「C0002」、「C0003」、および「C0004」が表示されている。
【０１１４】
カーソル１４３は、複写元用表示部１４１または複写先用表示部１４２に表示されるクリップファイルの名称に対応する位置に表示される。カーソル１４３は、ユーザが所望のクリップファイルを選択するときに操作され、ユーザの所望のクリップファイルの名称の表示位置に対応する位置に移動される。
【０１１５】
上方向ボタン１４４Ａは、カーソル１４３を上方向に移動させるときに、下方向ボタン１４４Ｂは、カーソル１４３を下方向に移動させるときに、それぞれ操作される。左方向ボタン１４５Ａは、カーソル１４３を左方向に移動させるときに、右方向ボタン１４５Ｂは、カーソル１４３を右方向に移動させるときに、それぞれ操作される。
【０１１６】
選択ボタン１４６は、カーソル１４３の位置に対応するクリップファイルを、編集対象候補として注目するクリップファイルとして選択するときに操作される。決定ボタン１４７は、注目するクリップファイルの選択を決定するときに操作される。
【０１１７】
図６において、ユーザは、複写元用表示部１４１と複写先用表示部１４２に表示されるクリップファイルの名称を見ながら、上方向ボタン１４４Ａ、下方向ボタン１４４Ｂ、左方向ボタン１４５Ａ、または右方向ボタン１４５Ｂを操作して、編集対象候補として注目するクリップファイルの名称に対応する位置にカーソル１４３を移動させ、選択ボタン１４６を操作し、決定ボタン１４７を操作する。これにより、編集対象候補として注目するクリップファイルの選択が決定される。
【０１１８】
ユーザにより決定ボタン１４７が操作されると、図６のクリップ選択画面１４０は、編集画面の１つである図７のエディットリスト選択画面１６０に変更される。
【０１１９】
図７のエディットリスト選択画面１６０は、エディットリスト表示部１６１、カーソル１６２、上方向ボタン１６３Ａと下方向ボタン１６３Ｂ、選択ボタン１６４、および新規ボタン１６５により構成される。
【０１２０】
エディットリスト表示部１６１には、複写先である光ディスク２１Ａに記録されているエディットリストファイルの名称と作成日時が表示される。図７の例では、光ディスク２１Ａに記録されているファイルのディレクトリ構造が、図４に示したディレクトリ構造となっており、エディットリスト用表示部１６１には、第１乃至第３のエディットリストファイルの名称の上位５文字に続いて、それぞれ、第１乃至第３のエディットリストファイルの作成日時が括弧書きで表示されている。
【０１２１】
カーソル１６２は、エディットリスト用表示部１６１に表示されるエディットリストファイルの名称と作成日時に対応する位置に表示される。カーソル１６２は、ユーザが所望のエディットリストファイルを選択するときに操作され、ユーザの所望のエディットリストファイルの名称と作成日時の表示位置に対応する位置に移動される。
【０１２２】
上方向ボタン１６３Ａは、カーソル１６２を上方向に移動させるときに、下方向ボタン１６３Ｂは、カーソル１６２を下方向に移動させるときに、それぞれ操作される。選択ボタン１６４は、カーソル１６２の位置に対応するエディットリストを更新させるときに、操作される。新規ボタン１６５は、新規のエディットリストを作成するときに、操作される。
【０１２３】
図７において、ユーザは、この後の編集によりエディットリストファイルを更新させる場合、エディットリスト表示部１６１に表示されるエディットリストファイルの名称と作成日時を見ながら、上方向ボタン１６３Ａまたは下方向ボタン１６３Ｂを操作して、更新対象とするエディットリストファイルの名称に対応する位置にカーソル１６２を移動させ、選択ボタン１６４を操作する。これにより、更新対象とするエディットリストファイルが決定される。
【０１２４】
また、ユーザは、この後の編集により新規のエディットリストファイルを作成させる場合、新規ボタン１６５を操作する。
【０１２５】
ユーザにより選択ボタン１６４または新規ボタン１６５が操作されると、図７のエディットリスト選択画面１６０は、図８の余裕設定画面１７０に変更される。
【０１２６】
図８の余裕設定画面１７０は、時間選択部１７１、カーソル１７２、時間入力部１７３、上方向ボタン１７４Ａ、下方向ボタン１７４Ｂ、および決定ボタン１７５により構成される。
【０１２７】
時間選択部１７１は、サブクリップの前後に付加する余裕データの再生時間（以下、余裕時間という）の選択肢が表示されている。図８の例では、「０秒」、「５秒」、「１０秒」、「３０秒」、および「１分」が選択肢として表示されている。
【０１２８】
カーソル１７２は、時間選択部１７１に表示される選択肢に対応する位置または時間入力部１７３に表示される。カーソル１７２は、ユーザが所望の余裕時間を選択するときに操作され、ユーザの所望の余裕時間に対応する位置に移動される。また、カーソル１７２は、ユーザが所望の余裕時間を入力するときに操作され、時間入力部１７３に移動される。
【０１２９】
時間入力部１７３は、分入力部１７３Ａと秒入力部１７３Ｂにより構成され、所望の余裕時間を入力するときに操作される。分入力部１７３Ａには、所望の余裕時間の分単位の数が２桁の数字で入力される。秒入力部１７３Ｂには、所望の余裕時間の秒単位の数が２桁の数字で入力される。
【０１３０】
カーソル１７２が時間入力部１７３に移動されたとき、カーソル１７２は、まず最初に、分入力部１７３Ａに対応する位置に表示される。ここで、ユーザにより分入力部１７３Ａに２桁の数字が入力されると、カーソル１７２は秒入力部１７３Ｂに移動し、ユーザは秒入力部１７３Ｂに２桁の数字を入力することができるようになっている。
【０１３１】
上方向ボタン１７４Ａは、カーソル１７２を上方向に移動させるときに、下方向ボタン１７４Ｂはカーソル１７２を下方向に移動させるときに、それぞれ操作される。決定ボタン１７５は、いま時間選択部１７１において選択肢として選択されている余裕時間、または、いま時間入力部１７３において入力されている余裕時間を余裕データ決定するときに操作される。
【０１３２】
ユーザにより決定ボタン１７５が操作され、光ディスク２２Ａに記録されているクリップの編集が指令されると、図８の余裕設定画面１７０は、図９の光ディスク２２Ａ用編集画面１８０に変更される。
【０１３３】
図９の光ディスク２２Ａ用編集画面１８０は、編集対象表示部１８１、編集結果表示部１８２、カーソル１８３、決定ボタン１８４、および終了ボタン１８５により構成される。
【０１３４】
編集対象表示部１８１には、光ディスク２２Ａに記録されているクリップファイルのうち、図６のクリップ選択画面１４０において注目するクリップファイルとして選択されたクリップファイルと、そのクリップファイルに対して再生順が前後の所定の数のクリップファイルとに対応するサムネイル映像１８１Ａが表示される。即ち、注目するクリップファイルとして選択されたクリップファイルと、そのクリップファイルに対して再生順が前後の所定の数のクリップファイルとが編集対象候補とされ、その編集対象候補のサムネイル映像１８１Ａが編集対象表示部１８１に表示される。
【０１３５】
図９の例では、ユーザにより選択されたクリップファイルと、そのクリップファイルに対して再生順が前後３つ以内の合計６つのクリップファイルの合計７個のクリップファイルが編集対象候補とされ、その編集対象候補に対応する７個のサムネイル映像１８１Ａが編集対象表示部１８１に表示されている。
【０１３６】
編集結果表示部１８２には、図７のエディットリスト選択画面１６０において選択されたエディットリストファイルに対応するサブクリップのサムネイル映像１８２Ａが、再生順に左側から表示される。なお、エディットリスト選択画面１６０において新規ボタン１６５が操作された場合、編集結果表示部１８２には、何も表示されない。図９の例では、エディットリスト選択画面１６０において選択されたエディットリストファイルに対応する１つのサブクリップのサムネイル映像１８２Ａが表示されている。
【０１３７】
カーソル１８３は、編集対象表示部１８１に表示されるサムネイル映像１８１Ａに対応する位置に表示される。カーソル１８３は、ユーザが所望のクリップのサムネイル映像１８１Ａを選択するときに操作され、ユーザの所望のサムネイル映像１８１Ａの表示位置に対応する位置に移動される。
【０１３８】
決定ボタン１８４は、カーソル１８３に対応するサムネイル映像１８１Ａの選択を決定するときに操作される。終了ボタン１８５は、光ディスク２２Ａに記録されているクリップの編集を終了するときに、操作される。
【０１３９】
なお、図９では、ユーザにより、光ディスク２２Ａに記録されているクリップの編集が指令される場合について説明したが、光ディスク２１Ａに記録されているクリップの編集が指令される場合も、同様に、光ディスク２１Ａ用編集画面が表示される。この場合、光ディスク２１Ａ用編集画面の編集対象表示部には、光ディスク２１Ａに記録されているクリップファイルのうち、図６のクリップ選択画面１４０において注目するクリップファイルとして選択されたクリップファイルと、そのクリップファイルに対して再生順が前後の所定の数のクリップファイルとに対応するサムネイル映像が表示される。
【０１４０】
図９において、ユーザにより、決定ボタン１８４が操作されると、図９の光ディスク２２Ａ用編集画面１８０は、図１０の編集区間設定画面２００に変更される。
【０１４１】
図１０の編集区間設定画面２００には、図９の決定ボタン１８４が操作されたときにカーソル１８３が位置しているサムネイル映像１８２Ａに対応するクリップの映像が表示される。
【０１４２】
このとき、ユーザは、例えば、操作部４２に指令を送信するリモートコントローラ２０１を用いて、編集区間設定画面２００に表示されている映像に対応するクリップに対して、編集区間の開始位置であるイン点と、編集区間の終了位置であるアウト点を指定することにより、編集区間を設定する。
【０１４３】
具体的には、リモートコントローラ２０１には、イン点ボタン２１１、アウト点ボタン２１２、ダイヤル２１３、および決定ボタン２１４が設けられている。
【０１４４】
イン点ボタン２１１は、編集区間設定画面２００に表示される映像に対応する再生位置をイン点として指定するときに、操作される。アウト点ボタン２１２は、編集区間設定画面２００に表示される映像に対応する再生位置をアウト点として指定するときに、操作される。ダイヤル２１３は、いま表示されている映像より再生順序が前または後の同一クリップ内の映像を、編集区間設定画面２００に表示させるとき操作される。決定ボタン２１４は、いま指定されているイン点とアウト点を、編集区間設定画面２００に表示されている映像に対応するクリップに対するイン点とアウト点として決定するときに、操作される。
【０１４５】
図１０において、ユーザは、必要に応じてダイヤル２１３を操作し、所望のイン点に対応する映像が編集区間設定画面２００に表示されたとき、イン点ボタン２１１を操作してイン点を指定する。また、ユーザは、必要に応じてダイヤル２１３を操作し、所望のアウト点に対応する映像が編集区間設定画面２００に表示されたとき、アウト点ボタン２１２を操作してアウト点を指定する。その後、ユーザは、決定ボタン２１４を操作することにより、いま指定されているイン点とアウト点を、編集区間設定画面２００に表示されている映像に対応するクリップに対するイン点とアウト点として決定する。これにより、図９の光ディスク２２Ａ用編集画面１８０において選択されたサムネイル映像１８１Ａに対応するクリップに対する編集区間が設定される。
【０１４６】
図１０において決定ボタン２１４が操作されると、図１０の編集区間設定画面２００は、図１１の光ディスク２２Ａ用編集画面２２０に変更される。
【０１４７】
図１１の光ディスク２２Ａ用編集画面２２０は、図９の光ディスク２２Ａ用編集画面１８１と同様に構成されるが、図１１の編集対象表示部１８１には、図９の編集対象表示部１８１に表示された７個のサムネイル映像１８１Ａのほかに、図１０の編集区間設定画面２００において設定された編集区間の素材データに対応するサムネイル映像２２１が表示される。
【０１４８】
このサムネイル映像２２１には、クリップのうちの編集区間の素材データに対応するサムネイル映像であることを表す枠２２１Ａが付加されている。従って、ユーザは、枠２２１Ａの有無によって、光ディスク２２Ａ用編集画面２２０に表示されているサムネイル映像が、クリップのうちの編集区間の素材データに対応するサムネイル映像であるか、または、クリップそのものに対応するサムネイル映像であるかを判別することができる。
【０１４９】
図１１において、ユーザが、サムネイル映像２２１を、編集対象とする素材データのサムネイル映像として、編集結果表示部１８２内のサムネイル映像１８２Ａの右側にドラックすると、図１１の光ディスク２２Ａ用編集画面２２０は、図１２の光ディスク２２Ａ用編集画面２４０に変更される。即ち、図１２に示すように、編集結果表示部１８２には、サムネイル映像１８２Ａの右側に、枠２２１Ａが付加されたサムネイル映像２２１と同一の枠２４１Ａが付加されたサムネイル映像２４１が半透明で表示される。
【０１５０】
この後、ユーザがドロップすると、編集対象表示部１８１に表示されていた枠２２１Ａが付加されたサムネイル映像２２１が編集結果表示部１８２に移動される。即ち、編集結果表示部１８２に半透明で表示されていた枠２４１Ａが付加されたサムネイル映像２４１が不透明で表示され、編集対象表示部１８１に表示されていた枠２２１Ａが付加されたサムネイル映像２２１が削除される。なお、カーソル１８３は、サムネイル映像２４１に対応する位置に表示される。
【０１５１】
以上のようにして、サムネイル映像２２１がドラッグアンドドロップされると、記録制御部９２は、サムネイル映像１８２Ａに対応するサブクリップの次に、サムネイル映像２４１に対応する素材データがサブクリップとして再生されるように、編集結果表示部１８２に対応するエディットリストファイルを更新する。
【０１５２】
図１３は、エディットリストファイルのエディットリストの例を示している。
【０１５３】
即ち、図１３は、XMLで記述されたエディットリストファイルの具体的な記述例を示す図である。なお、図１３において、各行頭の数字は、説明の便宜上付加したものであり、XML記述の一部ではない。このことは、後述する図２８においても同様である。
【０１５４】
エディットリストファイルは、クリップのノンリニア編集（非破壊編集）の編集結果に関する情報であるエディットリストを含むファイルであり、その編集結果の再生方法についても記述されている。
【０１５５】
図１３に示すように、エディットリストファイルのXML記述は、主にボディタグ（<body> </body>）で囲まれるボディ部により構成される。図１３の例では、このボディ部は、４乃至１３行目に記述されている。なお、１乃至３行目には、このファイルがProfessional DiscのEdit List（エディットリスト）であることを示す情報が記述されている。
【０１５６】
詳細には、ボディ部には、編集記述の時間的振る舞いと関係する情報が記述される。図１３の例では、５行目の開始タグ「<par>」と１２行目の終了タグ「</par>」の間に記述されるpar要素は、時間コンテナであり、複数の要素を同時に再生する単純時間グループを定義する。図１３の例では、第１のクリップ（図１３の例では、Clip１と記述されており、例えば、図４の第１のクリップファイル（C0001.MXF）のクリップであるとする）と第２のクリップ（図１３の例では、Clip2と記述されており、例えば、図４の第２のクリップファイル（C0002.MXF）のクリップであるとする）が同時に再生されるように示されている。
【０１５７】
但し、図１３の例の場合、後述するように、２つのクリップの再生開始時間が互いにずれており、実際には、この２つのクリップが連続して再生されるように為されている。
【０１５８】
図１３において、７と８行目のref要素には、参照するファイルおよび参照するファイルの再生範囲等が記述されている。７行目の「src="urn:smpte:umid:060A2B340101010501010D431300000070D3020009350597080046020118F454"」の記述は、参照先のファイルに割り当てられたMPUMIDが「060A2B340101010501010D431300000070D3020009350597080046020118F454」であることを示している。
【０１５９】
また、８行目の「clipBegin="smpte-30=00:00:00:00"」の記述は、この第１のクリップのイン点を第１のクリップのFTC（File Time Code）上で示しており、単位はフレーム数である。なお、このFTCは、各ファイルの先頭フレームの番号を「０」とし、その先頭フレームから順番に、各フレームに割り当てられる相対的な位置情報である。その記述に続く８行目の「clipEnd="smpte-30=00:00:06:00"」の記述は、この第１のクリップのアウト点を第１のクリップのFTC上で示している。
【０１６０】
さらに、その記述に続く８行目の「begin="smpte-30=00:00:00:00"」の記述は、第１のクリップの再生が開始される時刻、すなわち、サブクリップが開始されるエディットリストのFTC上での位置を示しており、単位はフレーム数である。なお、「smpte-30」は、使用するタイムコードが、SMPTEで定義される３０フレーム毎秒のSMPTEタイムコードであることを示す記述である。
【０１６１】
以上のように、図１３の例では、第１のクリップは、時刻「00:00:00:00」に、フレーム番号「00:00:00:00」の位置から再生が開始され、フレーム番号「00:00:06:00」の位置まで再生されることが、エディットリストに記述されている。
【０１６２】
また、第２のクリップについても、１０と１１行目において、第１のクリップの場合と同様に記述されている。図１３の例では、第２のクリップは、時刻「00:00:06:00」に、フレーム番号「00:00:00:00」の位置から再生され、フレーム番号「00:00:04:00」の位置まで再生されることが、エディットリストに記述されている。
【０１６３】
そして、図１３のエディットリストにおいては、以上のような第１のクリップの再生と第２のクリップの再生がpar要素により、同時に行われるように指定されている。従って、結果として、時刻「00:00:00:00」に、第１のクリップがフレーム番号「00:00:00:00」の位置からフレーム番号「00:00:06:00」の位置まで再生される。これにより、時刻「00:00:06:00」になると、今度は、第２のクリップがフレーム番号「00:00:00:00」の位置からフレーム番号「00:00:04:00」の位置まで再生される。以上のように、図１３に示すエディットリストにおいては、第１のクリップと第２のクリップが、連続して再生されるように編集されていることが示されている。
【０１６４】
換言すると、図１３のエディットリストは、第１のクリップ（Clip1）を６秒再生し、その後に第２のクリップ（Clip2）を４秒再生することを示している。
【０１６５】
なお、図１３において、各データを示すMPUMIDの例が上述したように記述してあるが、これらは、エディットリスト内のMPUMIDの記述位置等を示すだけのものであり、それらの値が意味を持たない仮想のMPUMIDである。即ち、図１３に記載されているMPUMIDは、実際のMPUMIDとは異なる意味の無いシンボルの組合せであり、実際には、SMPTEの定める方法に基づいて作成された正当なMPUMIDが上述した仮想MPUMIDの代わりに各位置に記述される。
【０１６６】
次に、図１４を参照して、図３の集約部８０が編集データの集約前に行う集約前処理について説明する。この集約前処理は、例えば、ユーザが操作部４２を操作することにより、ビデオ編集の開始を指令したとき、開始される。
【０１６７】
ステップＳ１において、複写先処理部８１の表示制御部９３は、光ディスク２２Ａに記録されているファイルのディレクトリ構造を表すディレクトリ情報の送信を、複写元処理部８２の読出部１０１に要求し、ステップＳ２に進む。
【０１６８】
ステップＳ１１において、読出部１０１は、表示制御部９３からの要求を受け付け、ステップＳ１２に進む。ステップＳ１２において、読出部１０１は、光ディスクドライブI/F５５を制御し、光ディスク２２Ａからディレクトリ情報を読み出して、そのディレクトリ情報を表示制御部９３に送信し、処理を終了する。
【０１６９】
ステップＳ２において、表示制御部９３は、読出部１０１から送信されてくるディレクトリ情報を受信し、ステップＳ３に進む。ステップＳ３において、表示制御部９３は、光ディスクドライブI/F５４を制御し、光ディスク２１Ａに記録されているファイルのディレクトリ情報（図４）を読み出し、ステップＳ４に進む。
【０１７０】
ステップＳ４において、表示制御部９３は、光ディスク２１Ａと２２Ａのディレクトリ情報に基づいて、図６のクリップ選択画面１４０を編集画面の１つとして、映像モニタ４４に表示させる。
【０１７１】
具体的には、表示制御部９３は、光ディスク２２Ａのディレクトリ情報に基づいて、光ディスク２２Ａに記録されているすべてのクリップファイルのファイル名を、複写元用表示部１４１に表示させる。また、同様に、表示制御部９３は、光ディスク２１Ａのディレクトリ情報に基づいて、光ディスク２１Ａに記録されているすべてのクリップファイルのファイル名を、複写先用表示部１４２に表示させる。さらに、表示制御部９３は、カーソル１４３、上方向ボタン１４４Ａ、下方向ボタン１４４Ｂ、左方向ボタン１４５Ａ、右方向ボタン１４５Ｂ、選択ボタン１４６、および決定ボタン１４７を表示させる。
【０１７２】
ステップＳ４の処理後は、ステップＳ５に進み、表示制御部９３は、受付部９１からの操作信号に応じて、ユーザにより編集対象候補として注目するクリップファイルの選択が決定されたかどうか、即ちユーザにより決定ボタン１４７が操作されたかどうかを判定し、注目するクリップファイルの選択が決定されていないと判定された場合、注目するクリップファイルの選択が決定されるまで待機する。
【０１７３】
一方、ステップＳ５において、ユーザにより編集対象候補として注目するクリップファイルの選択が決定されたと判定された場合、ステップＳ６に進み、表示制御部９３は、光ディスク２１Ａのディレクトリ情報に基づいて、図７のエディットリスト選択画面１６０を表示させる。
【０１７４】
具体的には、表示制御部９３は、光ディスク２２Ａのディレクトリ情報に基づいて、光ディスク２２Ａに記録されているすべてのエディットリストファイルのファイル名と作成日時を、エディットリスト表示部１６１に表示させる。また、表示制御部９３は、カーソル１６２、上方向ボタン１６３Ａ、下方向ボタン１６３Ｂ、選択ボタン１６４、および新規ボタン１６５を表示させる。
【０１７５】
ステップＳ６の処理後は、ステップＳ７に進み、表示制御部９３は、受付部９１からの操作信号に応じて、選択ボタン１６４または新規ボタン１６５が操作されたかどうかを判定し、選択ボタン１６４または新規ボタン１６５が操作されていないと判定された場合、操作されるまで待機する。
【０１７６】
一方、ステップＳ７において、選択ボタン１６４または新規ボタン１６５が操作されたと判定された場合、ステップＳ８に進み、表示制御部９３は、図８の余裕設定画面１７０を表示させ、処理を終了する。
【０１７７】
この後、ユーザは、余裕設定画面１７０において操作部４２を操作することにより、余裕時間を決定する。ユーザにより０秒が余裕時間として決定された場合、図３の集約部８０は、光ディスク２２Ａに記録されている編集データを光ディスク２１Ａに集約する余裕無し集約処理を行う。この余裕無し集約処理の詳細は、図１５で後述する。一方、ユーザにより０秒以外が余裕時間として選択された場合、集約部８０は、光ディスク２２Ａに記録されている余裕データが付加された編集データを光ディスク２１Ａに集約する余裕有り集約処理を行う。この余裕有り集約処理の詳細は、図１７で後述する。
【０１７８】
図１５を参照して、集約部８０による余裕無し集約処理について説明する。なお、図１５では、ユーザにより、光ディスク２２Ａに記録されているクリップの編集が指令されているものとする。
【０１７９】
ステップＳ３１において、複写先処理部８１の表示制御部９３は、図１４のステップＳ５で選択が決定されたクリップファイルのうち、光ディスク２２Ａに記録されているクリップファイルに対応するプロキシデータの送信を、複写元処理部８２の読出部１０１に要求し、ステップＳ３２に進む。
【０１８０】
ステップＳ５１において、読出部１０１は、表示制御部９３から送信されてくる要求を受け付け、ステップＳ５２に進む。ステップＳ５２において、読出部１０１は、表示制御部９３により送信が要求されたクリップファイルに対応するプロキシデータを、光ディスク２２Ａから読み出して表示制御部９３に送信し、ステップＳ５３に進む。
【０１８１】
ステップＳ３２において、表示制御部９３は、読出部１０１から送信されてくるプロキシデータを受信し、ステップＳ３３に進む。ステップＳ３３において、表示制御部９３は、受信したプロキシデータを用いて、図９の光ディスク２２Ａ用編集画面１８０を映像モニタ４４に表示させる。
【０１８２】
具体的には、表示制御部９３は、読み出し部１０１から受信したプロキシデータを用いてサムネイル映像データを作成し、サムネイル映像１８１Ａを編集対象表示部１８１に表示させる。また、図７のエディットリスト選択画面１６０においてエディットリストファイルが選択された場合、表示制御部９３は、そのエディットリストファイルに対応するサブクリップのプロキシデータを光ディスク２１Ａから読み出し、そのサブクリップに対応するサムネイル映像データを作成して、サムネイル映像１８２Ａを編集結果表示部１８２に表示させる。さらに、表示制御部９３は、カーソル１８３、決定ボタン１８４、および終了ボタン１８５を表示させる。
【０１８３】
ステップＳ３３の処理後は、ステップＳ３４に進み、表示制御部９３は、受付部９１からの操作信号に応じて、ユーザにより編集区間の設定が要求されたかどうか、即ち光ディスク２２Ａ用編集画面１８０において決定ボタン１８４が操作されたかどうかを判定し、編集区間の指定が要求されたと判定した場合、ステップＳ３５に進む。
【０１８４】
ステップＳ３５において、表示制御部９３は、決定ボタン１８４が操作されたときのカーソル１８３の位置に対応するサムネイル映像１８１Ａに基づいて、そのサムネイル映像１８１Ａに対応するクリップの映像を、図１０の編集区間設定画面２００として映像モニタ４４に表示させる。ここで、ユーザは、リモートコントローラ２０１を操作することにより、編集区間を設定する。
【０１８５】
ステップＳ３５の処理後は、ステップＳ３６に進み、記録制御部９２は、受付部９１からの操作信号に応じて、ユーザにより編集区間が設定されたかどうか、即ち、リモートコントローラ２０１の決定ボタン２１４が操作されたかどうかを判定し、編集区間が設定されていないと判定された場合、編集区間が設定されるまで待機する。
【０１８６】
一方、ステップＳ３６において、ユーザにより編集区間が設定されたと判定された場合、ステップＳ３７に進み、記録制御部９２は、その編集区間に基づいて、クリップエディットリストを作成して記憶する。
【０１８７】
ステップＳ３７の処理後は、ステップＳ３８に進み、記録制御部９２は、ステップＳ３７で作成したクリップエディットリストを、記録制御部１０２に送信し、ステップＳ３９に進む。
【０１８８】
ステップＳ５３において、記録制御部１０２は、記録制御部９２から送信されてくるクリップエディットリストを受信し、ステップＳ５４に進む。ステップＳ５４において、記録制御部１０２は、そのクリップエディットリストを、対応するクリップのクリップファイルに対応付けて光ディスク２２Ａに記録させる。
【０１８９】
このように、光ディスク２２Ａには、クリップエディットリストが記録されるので、例えば、対応するクリップファイルが再度編集対象候補とされる場合、読出部１０１が、記録制御部９２からの要求に応じて、クリップエディットリストに基づくサブクリップのプロキシデータを記録制御部９２に送信することにより、編集対象表示部１８１に、既に設定された編集区間に対応するサブクリップのサムネイル映像を表示させることができる。
【０１９０】
ステップＳ３９において、表示制御部９３は、ユーザにより設定された編集区間と、ステップＳ３５で編集区間設定画面２００として表示された映像に対応するクリップのプロキシデータとに基づいて、図１０の光ディスク２２Ａ用表示画面２２０を表示させる。
【０１９１】
具体的には、表示制御部９３は、ユーザにより決定された編集区間と、編集区間設定画面２００として表示された映像に対応するクリップのプロキシデータとに基づいて、クリップの映像データのうちの編集区間に対応する映像データのサムネイル映像データを作成する。そして、表示制御部９３は、そのサムネイル映像データに対応するサムネイル映像２２１に枠２２１Ａを付加して、編集対象表示部１８２に表示させる。その結果、映像モニタ４４には、図９の編集対象表示部１８１に枠２２１Ａが付加されたサムネイル映像２２１が追加された、図１１の光ディスク２２Ａ用表示画面２２０が表示される。
【０１９２】
ステップＳ３４で編集区間の設定が要求されていないと判定された場合、またはステップＳ３９の処理後は、ステップＳ４０に進み、記録制御部９２は、受付部９１からの操作信号に応じて、ユーザにより編集対象とする素材データの再生順が指定されたかどうか、即ち、光ディスク２２Ａ用表示画面１８０または２２０において、ユーザによりドラックアンドドロップが行われたかどうかを判定し、再生順が指定されたと判定された場合、ステップＳ４１に進む。
【０１９３】
ステップＳ４１において、記録制御部９２は、ユーザにより指定された再生順に基づいて、エディットリストを作成するエディットリスト作成処理を行う。このエディットリスト作成処理の詳細は、図１６で後述する。
【０１９４】
ステップＳ４１の処理後は、ステップＳ４２に進み、記録制御部９２は、再生順の指定対象である編集対象とする素材データのイン点とアウト点を示すFTCを、複写元処理部８２への送信要求対象とするサブクリップの始点を示すFTC（以下、始点FTCという）と終点を示すFTC（以下、終点FTCという）として決定する。
【０１９５】
具体的には、再生順の指定対象である素材データが、ユーザにより設定された編集区間の素材データである場合、その編集区間のイン点とアウト点を示すFTCが、始点FTCと終点FTCに決定され、ユーザにより設定された編集区間の素材データではない場合、即ち、再生順の指定対象がクリップそのものである場合、そのクリップの先頭位置と終端位置を示すFTCが、始点FTCと終点FTCに決定される。
【０１９６】
ステップＳ４３において、記録制御部９２は、始点FTCと終点FTC、並びに再生順の指定対象となった編集対象とする素材データに対応するクリップファイルのMPUMIDを複写元処理部８２に送信することにより、複写元処理部８２に、サブクリップと、そのサブクリップに対応するノンリアルタイムメタデータとからなるサブクリップデータの送信を要求し、ステップＳ４４に進む。
【０１９７】
ステップＳ５５において、読出部１０１は、記録制御部９２から送信されてくる要求を受け付け、ステップＳ５６に進む。ステップＳ５６において、読出部１０１は、記録制御部９２により送信が要求されたサブクリップデータを、光ディスク２２Ａから読み出し、ファイルとして記録制御部９２に送信する。
【０１９８】
具体的には、読出部１０１は、記録制御部９２から送信されてくるMPUMIDが付与されたクリップファイルの、始点FTCから終点FTCまでの素材データをサブクリップとして読み出すとともに、そのサブクリップに対応するノンリアルタイムメタデータを作成する。そして、読出部１０１は、サブクリップと、そのサブクリップに対応するノンリアルタイムメタデータとからなるサブクリップデータをファイルとして、記録制御部９２に送信する。なお、読出部１０１から送信されるサブクリップデータのファイルは、サブクリップのファイルとノンリアルタイムメタデータのファイルからなり、各ファイルのフォーマットは、図５に示したフォーマットとなっている。
【０１９９】
ステップＳ４４において、記録制御部９２は、読出部１０１から送信されてくるサブクリップデータのファイルを受信し、ステップＳ４５に進む。ステップＳ４５において、記録制御部９２は、受信したサブクリップデータのファイルのうち、サブクリップのファイルをクリップファイルとして光ディスク２１Ａに記録させるとともに、ノンリアルタイムメタデータのファイルをメタデータファイルとして記録させる。
【０２００】
以上のように、ユーザによりドラックアンドドロップが行われると、記録制御部９２は、エディットリスト作成処理を行うとともに、サブクリップを光ディスク２２Ａから光ディスク２１Ａに複写する。従って、ユーザは、ドラックアンドドロップという１つの操作を行うだけで、光ディスク２２Ａに記録されているクリップのノンリニア編集を行い、その編集結果の編集データを光ディスク２１Ａに集約することができる。即ち、編集データを光ディスク２１Ａに集約させる場合の作業の効率が良い。
【０２０１】
また、光ディスク２１Ａへの編集データの集約とともに、エディットリストの作成が行われるので、集約直後に、ビデオ編集装置２３は、エディットリストにしたがって、光ディスク２１Ａから編集結果を再生することができる。
【０２０２】
さらに、ステップＳ４５において、記録制御部９２は、ステップＳ４１のステップＳ７２またはＳ７４（後述する図１６）でエディットリストに記述されたMPUMIDを、受信したサブクリップデータのファイルのヘッダに含まれるMPUMIDに変更する。
【０２０３】
ステップＳ４５の処理後は、ステップＳ４６に進み、表示制御部９３は、ユーザにより光ディスク２２Ａに記録されているクリップの編集の終了が指令されたかどうか、即ち終了ボタン１８５が操作されたかどうかを判定し、終了が指令されていないと判定した場合、ステップＳ３４に戻り、上述した処理を繰り返す。
【０２０４】
一方、ステップＳ４６において、ユーザにより光ディスク２２Ａに記録されているクリップの編集の終了が指令されたと判定された場合、余裕無し集約処理は終了する。
【０２０５】
次に、図１６を参照して、図１５のステップＳ４１のエディットリスト作成処理の詳細について説明する。
【０２０６】
ステップＳ７１において、記録制御部９２は、受付部９１からの操作信号に基づいて、エディットリストを作成するかどうか、即ち、図１４のステップＳ６で表示されたエディットリスト選択画面１６０において、ユーザにより新規ボタン１６５が操作されたかどうかを判定する。
【０２０７】
ステップＳ７１において、エディットリストを作成しないと判定された場合、ステップＳ７２に進み、記録制御部９２は、再生順の指定対象である編集対象とする素材データに対応するクリップのクリップファイルに付与されるMPUMIDを、ユーザにより選択されたエディットリストファイルのエディットリストのpar要素の、ユーザにより指定された再生順に対応する位置に追加する。
【０２０８】
一方、ステップＳ７１において、エディットリストを作成すると判定された場合、ステップＳ７３に進み、記録制御部９２は、par要素に何も記述されていない新しいエディットリストを作成し、ステップＳ７４に進む。
【０２０９】
ステップＳ７４において、記録制御部９２は、再生順の指定対象である素材データに対応するクリップファイルに付与されるMPUMIDを、ステップＳ７３で作成したエディットリストのpar要素に記述する。
【０２１０】
ステップＳ７２またはＳ７４の処理後は、ステップＳ７５に進み、記録制御部９２は、再生順の指定対象である素材データに対応するクリップファイルのMPUMIDが記述されたエディットリストに、そのクリップファイルのイン点を示すFTCとして０を記述する。具体的には、記録制御部９２は、図１３のエディットリストのpar要素に記述されたクリップファイルのMPUMIDに続いて、「clipBegin="smpte-30=00:00:00:00"」を記述する。
【０２１１】
ステップＳ７５の処理後は、ステップＳ７６に進み、記録制御部９２は、図１５のステップＳ３５で表示された編集区間設定画面２００において、ユーザにより決定された編集区間のイン点とアウト点を示すFTCの差を、使用時間長として計算する。例えば、ユーザにより決定された編集区間のイン点を示すFTCが「00:00:05:00」であり、アウト点を示すFTCが「00:00:09:00」である場合、記録制御部９２は、「00:00:09:00」から「00:00:05:00」を減算した「00:00:04:00」を、使用時間長として計算する。
【０２１２】
ステップＳ７６の処理後は、ステップＳ７７に進み、記録制御部９２は、再生順の指定対象である素材データのクリップファイルのUMIDとイン点を示すFTCが記述されたエディットリストに、そのクリップファイルのアウト点を示すFTCとして使用時間長を記述する。例えば、使用時間長が「00:00:04:00」である場合、記録制御部９２は、エディットリストのpar要素に記述された「clipBegin="smpte-30=00:00:00:00"」に続いて、「clipEnd="smpte-30=00:00:04:00"」を記述する。
【０２１３】
ステップＳ７７の処理後は、ステップＳ７８に進み、記録制御部９２は、再生順の指定対象である素材データのクリップファイルのUMID、並びにイン点とアウト点を示すFTCが記述されたエディットリストに、そのクリップファイルの直前に記述されているクリップファイル（以下、直前クリップファイルという）の再生が開始される時刻に、直前クリップファイルのイン点からアウト点までの時間を加算した値を、再生順の指定対象である素材データのクリップファイルの再生が開始される時刻として記述する。
【０２１４】
例えば、直前クリップファイルの記述として、「clipBegin="smpte-30=00:00:00:00"」、「clipEnd="smpte-30=00:00:06:00"」、「begin="smpte-30=00:00:00:00"」が順に記述されている場合、記録制御部９２は、再生順の指定対象である素材データのクリップファイルの再生が開始される時刻として、「begin="smpte-30=00:00:06:00"」を記述する。
【０２１５】
ステップＳ７８の処理後は、図１５のステップＳ４１に戻り、図１５のステップＳ４２の処理が行われる。
【０２１６】
次に、図１７を参照して、集約部８０による余裕有り集約処理について説明する。
【０２１７】
ステップＳ９１乃至Ｓ１０１の処理は、図１５のステップＳ３１乃至ステップＳ４１の処理と同一であり、説明は省略する。ステップＳ１１１乃至Ｓ１１４の処理は、図１５のステップＳ５１乃至Ｓ５４の処理と同一であり、説明は省略する。
【０２１８】
ステップＳ１０２において、記録制御部９２は、複写元処理部８２への送信要求対象を決定する要求対象決定処理を行う。この要求対象決定処理の詳細は、図１８で後述する。
【０２１９】
ステップＳ１０２の処理後は、ステップＳ１０３に進み、記録制御部９２は、ステップＳ１０２で決定された始点FTCと終点FTC、並びに再生順の指定対象となった素材データに対応するクリップファイルのMPUMIDを複写元処理部８２に送信することにより、複写元処理部８２に余裕データが付加されたサブクリップと、それに対応するノンリアルタイムメタデータとからなる付加サブクリップデータの送信を要求する。
【０２２０】
ステップＳ１１５において、読出部１０１は、図１５のステップ５５の処理と同様に、記録制御部９２から送信されてくる要求を受け付け、ステップＳ１１６に進む。ステップＳ１１６において、読出部１０１は、記録制御部９２により送信が要求された付加サブクリップデータを、光ディスク２２Ａから読み出し、ファイルとして複写先処理部８１に送信し、処理を終了する。
【０２２１】
ステップＳ１０３の処理後は、ステップＳ１０４に進み、記録制御部９２は、ステップＳ１１６で読出部１０１から送信されてくる付加サブクリップデータのファイルを受信する。ステップＳ１０４の処理後は、ステップＳ１０５に進み、記録制御部９２は、受信した付加サブクリップデータのファイルのうちの余裕データが付加されたサブクリップのファイルをクリップファイルとして光ディスク２１Ａに記録させるとともに、ノンリアルタイムメタデータのファイルをメタデータファイルとして記録させる。
【０２２２】
ステップＳ１０６において、記録制御部９２は、ステップＳ１０１で作成されたエディットリストを変更するエディットリスト変更処理を行う。このエディットリスト変更処理の詳細は、図１９で後述する。
【０２２３】
ステップＳ１０６の処理後は、ステップＳ１０７に進み、表示制御部９３は、図１５のステップＳ４６の処理と同様に、ユーザにより光ディスク２２Ａに記録されているクリップの編集の終了が指令されたかどうかを判定し、終了が指令されていないと判定した場合、ステップＳ９４に戻り、上述した処理を繰り返す。
【０２２４】
一方、ステップＳ１０６において、ユーザにより光ディスク２２Ａに記録されているクリップの編集の終了が指令されたと判定された場合、余裕有り集約処理は終了する。
【０２２５】
次に、図１８を参照して、図１７のステップＳ１０２の要求対象決定処理について説明する。
【０２２６】
ステップＳ１３１において、記録制御部９２は、再生順の指定対象である編集対象とする素材データのイン点を示すFTCから余裕時間を減算した値を、始点FTCとして決定し、ステップＳ１３２に進む。
【０２２７】
ステップＳ１３２において、記録制御部９２は、再生順の指定対象である編集対象とする素材データのアウト点を示すFTCから余裕時間を加算した値を、終点FTCとして決定し、図１７のステップＳ１０２に戻り、ステップＳ１０３に進む。
【０２２８】
次に、図１９を参照して、図１７のステップＳ１０６のエディットリスト変更処理について説明する。
【０２２９】
ステップＳ１５１において、記録制御部９２は、図１７のステップＳ１０１で作成または更新されたエディットリストに記述されている、再生順の指定対象となった素材データのクリップファイルのイン点を示すFTCを、余裕時間に変更する。例えば、余裕時間が５秒である場合、記録制御部９２は、再生順の指定対象となった素材データのクリップファイルの「clipBegin="smpte-30=00:00:00:00"」の記述を、「clipBegin="smpte-30=00:00:05:00"」に変更する。
【０２３０】
ステップＳ１５１の処理後は、ステップＳ１５２に進み、記録制御部９２は、図１７のステップＳ１０１で作成または更新されたエディットリストに記述されている、再生順の指定対象となった素材データのクリップファイルのアウト点を示すFTCを、ステップＳ１５１で変更されたイン点に、図１６のステップＳ７６で計算された使用時間長を加算した値に変更する。例えば、使用時間長が４秒であり、ステップＳ１５１で「clipBegin="smpte-30=00:00:05:00"」に変更された場合、記録制御部９２は、再生順の指定対象となった素材データのクリップファイルのアウト点のFTCを示す記述を、「clipEnd="smpte-30=00:00:09:00"」に変更する。
【０２３１】
ステップＳ１５２の処理後は、ステップＳ１５３に進み、記録制御部９２は、図１６のステップＳ７２またはＳ７４でエディットリストに記述されたMPUMIDを、図１７のステップＳ１０４で受信した付加サブクリップデータのファイルのヘッダに含まれるMPUMIDに変更する。ステップＳ１５３の処理後は、図１７のステップＳ１０６に戻り、ステップ１０７の処理が行われる。
【０２３２】
次に、図２０を参照して、ユーザにより、光ディスク２１Ａに記録されているクリップの編集が指令された場合に集約部８０により行われる編集処理について説明する。
【０２３３】
ステップＳ１６１において、表示制御部９３は、図１４のステップＳ５で選択が決定されたクリップファイルのうち、光ディスク２１Ａに記録されているクリップファイルに対応するプロキシデータを、光ディスク２１Ａから読み出し、光ディスク２１Ａ用編集画面を映像モニタ４４に表示させる。
【０２３４】
具体的には、表示制御部９３は、光ディスク２１Ａから読み出したプロキシデータを用いてサムネイル映像データを作成し、サムネイル映像を編集対象表示部に表示させる。また、図７のエディットリスト選択画面１６０においてエディットリストファイルが選択された場合、表示制御部９３は、そのエディットリストファイルに対応するサブクリップのプロキシデータを光ディスク２１Ａから読み出し、そのサブクリップに対応するサムネイル映像データを作成して、サムネイル映像を編集結果表示部に表示させる。さらに、表示制御部９３は、カーソル、決定ボタン、および終了ボタンを表示させる。
【０２３５】
ステップＳ１６１の処理後は、ステップＳ１６２に進み、表示制御部９３は、受付部９１からの操作信号に応じて、ユーザにより編集区間の設定が要求されたかどうかを判定し、編集区間の指定が要求されたと判定した場合、ステップＳ１６３に進む。
【０２３６】
ステップＳ１６３において、表示制御部９３は、決定ボタンが操作されたときのカーソルの位置に対応するサムネイル映像に基づいて、そのサムネイル映像に対応するクリップの映像を、図１０の編集区間設定画面２００として映像モニタ４４に表示させる。
【０２３７】
ステップＳ１６３の処理後は、ステップＳ１６４に進み、記録制御部９２は、受付部９１からの操作信号に応じて、ユーザにより編集区間が設定されたかどうかを判定し、編集区間が設定されていないと判定された場合、編集区間が設定されるまで待機する。
【０２３８】
一方、ステップＳ１６４において、ユーザにより編集区間が設定されたと判定された場合、ステップＳ１６５に進み、記録制御部９２は、その編集区間に基づいて、クリップエディットリストを作成して記憶する。
【０２３９】
ステップＳ１６５の処理後は、ステップＳ１６６に進み、表示制御部９３は、ユーザにより設定された編集区間と、ステップＳ１６３で編集区間設定画面２００として表示された映像に対応するクリップのプロキシデータとに基づいて、光ディスク２１Ａ用表示画面を表示させる。
【０２４０】
具体的には、表示制御部９３は、ユーザにより決定された編集区間と、編集区間設定画面２００として表示された映像に対応するクリップのプロキシデータとに基づいて、クリップの映像データのうちの編集区間に対応する映像データのサムネイル映像データを作成する。そして、表示制御部９３は、そのサムネイル映像データに対応するサムネイル映像に枠を付加して、編集対象表示部に表示させる。
【０２４１】
ステップＳ１６２で編集区間の設定が要求されていないと判定された場合、またはステップＳ１６６の処理後は、ステップＳ１６７に進み、記録制御部９２は、受付部９１からの操作信号に応じて、ユーザにより編集対象とする素材データの再生順が指定されたかどうか、即ち、光ディスク２１Ａ用表示画面において、ユーザによりドラックアンドドロップが行われたかどうかを判定し、再生順が指定されたと判定された場合、ステップＳ１６８に進む。
【０２４２】
ステップＳ１６８において、記録制御部９２は、図１６のエディットリスト作成処理と同様の処理を行う。ステップＳ１６８の処理後は、ステップＳ１６９に進み、記録制御部９２は、表示制御部９３は、ユーザにより光ディスク２１Ａに記録されているクリップの編集の終了が指令されたかどうかを判定し、終了が指令されていないと判定した場合、ステップＳ１６２に戻り、上述した処理を繰り返す。
【０２４３】
一方、ステップＳ１６８において、ユーザにより光ディスク２１Ａに記録されているクリップの編集の終了が指令されたと判定された場合、編集処理は終了する。
【０２４４】
なお、上述した図１５乃至図１９の説明では、クリップエディットリストを光ディスク２２Ａに記録させるようにしたが、記録させなくてもよい。この場合の集約部の機能的構成例を図２１に示す。
【０２４５】
図２１の集約部２６０は、複写先処理部２６１と複写元処理部２６２により構成される。なお、図２１において、図３と同一のものには同一の符号を付してあり、説明は繰り返しになるので省略する。
【０２４６】
複写先処理部２６１は、受付部９１、表示制御部９３、および記録制御部２７１により構成される。
【０２４７】
記録制御部２７１は、受付部９１からの操作信号に応じて、光ディスク２１Ａと２２Ａに記録されているクリップの編集を行うとともに、編集データを光ディスク２１Ａに集約する。
【０２４８】
具体的には、記録制御部２７１は、図３の記録制御部９２と同様に、受付部９１からの操作信号に応じてエディットリストを作成し、光ディスク２１Ａに記録させる。また、記録制御部２７１は、図３の記録制御部９２と同様に、受付部９１からの操作信号に応じて、光ディスク２２Ａに記録されている素材データのうちのサブクリップ、または、余裕データが追加されたサブクリップを、複写元処理部２６２の読出部１０１に要求し、その要求に応じて送信されてくるサブクリップ、または、余裕データが追加されたサブクリップを光ディスク２１Ａに記録させる。
【０２４９】
複写元処理部２６２は、読出部１０１により構成される。即ち、複写元処理部２６１は、図３の複写元処理部８２から記録制御部１０２が削除されたものとなっている。
【０２５０】
次に、図２２を参照して、集約部２６０による余裕無し集約処理について説明する。
【０２５１】
図２２の余裕無し集約処理は、図１５の余裕無し集約処理のうちのクリップエディットリストの送受信の処理であるステップＳ３８とステップＳ５３の処理、並びにクリップエディットリストの記録処理であるステップＳ５４の処理が削除された処理となっている。
【０２５２】
即ち、ステップＳ１７１乃至Ｓ１８５の処理は、図１５のステップＳ３１乃至Ｓ３７およびステップＳ３９乃至Ｓ４６の処理と同様であり、ステップＳ２０１乃至Ｓ２０４の処理は、図１５のステップＳ５１およびＳ５２、並びにステップＳ５５およびＳ５６の処理と同様である。
【０２５３】
なお、説明は省略するが、集約部２６０による余裕有り集約処理は、余裕無し処理と同様に、図１７の余裕有り集約処理のうちのクリップエディットリストの送受信の処理であるステップＳ９８とＳ１１３の処理、並びにクリップエディットリストの記録処理であるステップＳ１１４の処理が削除された処理である。
【０２５４】
また、上述した説明では、ユーザが、光ディスク２１Ａへの編集データの集約前に、余裕設定画面１７０において余裕時間を設定するための操作を行ったが、編集データの集約後に、余裕時間を設定するための操作を行い、光ディスク２１Ａに余裕データを追加させるようにしてもよい。この場合の集約部の機能的構成例を図２３に示す。
【０２５５】
図２３の集約部３００は、複写先処理部３１１と複写元処理部３１２により構成される。なお、図２３において、図３と同一のものには同一の符号を付してあり、説明は繰り返しになるので省略する。
【０２５６】
複写先処理部３１１は、表示制御部９３、受付部３２１、および記録制御部３２２により構成される。
【０２５７】
受付部３２１は、図２の操作部I/F５６から供給される編集に関する指令を行うための操作に対応する操作信号を受け付ける。また、受付部３２１は、操作部I/F５６から供給される余裕データの追加に関する指令を行うための操作に対応する操作信号を受け付ける。受付部３２１は、操作信号を表示制御部９３または記録制御部３２２に供給する。
【０２５８】
記録制御部３２２は、受付部３２１からの操作信号に応じて、光ディスク２１Ａと２２Ａに記録されているクリップのノンリニア編集を行うとともに、その編集結果の編集データを光ディスク２１Ａに集約する。
【０２５９】
具体的には、記録制御部３２２は、図３の記録制御部３２２と同様に、受付部３２１からの操作信号に応じて、光ディスク２１Ａと２２Ａに記録されているクリップのエディットリストを作成し、光ディスク２１Ａに記録させる。
【０２６０】
また、記録制御部３２２は、図３の記録制御部９２と同様に、受付部３２１からの操作信号に応じてクリップエディットリストを作成し、複写元処理部３１２の記録制御部１０２に送信する。さらに、記録制御部３２２は、受付部３２１からの操作信号に応じて、光ディスク２２Ａに記録されている素材データのうちのサブクリップを、複写元処理部３１２の読出部３３１に要求し、その要求に応じて送信されてくるサブクリップを光ディスク２１Ａに記録させる。
【０２６１】
また、記録制御部３２２は、受付部３２１からの操作信号に応じて、光ディスク２２Ａに記録されている素材データのうちの余裕データを読出部３３１に要求し、その要求に応じて送信されてくる余裕データを光ディスク２１Ａのサブクリップに追加する。なお、余裕データは、サブクリップに論理的に追加されればよく、余裕データと、その余裕データが追加されるサブクリップの光ディスク２１Ａ上の物理的配置は離れていてもよい。
【０２６２】
複写元処理部３１２は、記録制御部１０２と読出部３３１により構成される。
【０２６３】
読出部３３１は、記録制御部３２２からの要求に応じて、光ディスク２２Ａからサブクリップまたは余裕データを読み出し、記録制御部９２に供給する。また、読出部３３１は、図３の読出部１０１と同様に、表示制御部９３からの要求に応じて、光ディスク２２Ａからプロキシデータを読み出し、表示制御部９３に供給する。
【０２６４】
次に、図２４は、表示制御部９３が表示させる、余裕時間を変更するための余裕変更画面３４０の例を示す。
【０２６５】
図２４の余裕変更画面３４０は、時間設定部３４１、カーソル３４２、上方向ボタン３４３Ａ、下方向ボタン３４３Ｂ、決定ボタン３４４、および終了ボタン３４５により構成される。
【０２６６】
時間設定部３４１には、複写先である光ディスク２１Ａのエディットリストファイルの名称および作成日時と、そのエディットリストに対して設定された余裕時間とが表示される。
【０２６７】
図２４の例では、光ディスク２１Ａに記録されているファイルのディレクトリ構造が、図４に示したディレクトリ構造となっており、時間設定部３４１には、第１乃至第３のエディットリストファイルの名称の上位５文字に続いて、それぞれ、第１乃至第３のエディットリストファイルの作成日時が括弧書きで表示されている。
【０２６８】
また、第１と第２のエディットリストファイルの名称と作成日時に対応して、３０秒が余裕時間として表示され、第３のエディットリストファイルの名称と作成日時に対応して、０秒が余裕時間として表示されている。即ち、第１と第２のエディットリストファイルに対応するサブクリップには、その前後に３０秒分の余裕データが既に付加されており、第３のエディットリストファイルに対応するサブクリップには余裕データが付加されていない。
【０２６９】
カーソル３４２は、時間設定部３４１に表示されるエディットリストファイルの名称および作成日時、並びに余裕時間に対応する位置に表示される。カーソル３４２は、ユーザが所望のエディットリストに対して余裕時間を設定するときに操作され、ユーザの所望のエディットリストに対応する位置に移動される。なお、ここでは、サブクリップに既に余裕データが付加されているエディットリストに対して余裕時間は設定しないものとする。従って、カーソル３４２は、第１と第２のエディットリストファイルに対応する位置には移動されないようになっている。
【０２７０】
上方向ボタン３４３Ａは、カーソル３４２を上方向に移動させるときに、下方向ボタン３４３Ｂはカーソル３４２を下方向に移動させるときに、それぞれ操作される。決定ボタン３４４は、いまのカーソル３４２の位置に対応するエディットリストに対する余裕時間を変更するときに操作される。終了ボタン３４５は、余裕変更画面３４０の表示を終了するときに操作される。
【０２７１】
ユーザは、図２４の余裕変更画面３４０において、上方向ボタン３４３Ａまたは下方向ボタン３４３Ｂを操作することにより、所望のエディットリストに対応する位置にカーソル３４２を移動させ、決定ボタン３４４を操作する。これにより、図２４の余裕変更画面３４０は、図８の余裕設定画面１７０に変更され、ユーザは、余裕設定画面１７０において、上述したように余裕時間を決定する。
【０２７２】
次に、図２５Ａ乃至図２５Ｃを参照して、図２３の記録制御部３２２による余裕データの追加について説明する。
【０２７３】
図２５Ａは、光ディスク２２Ａに記録されている、編集対象とするクリップのクリップファイルの例を示している。なお、クリップファイルのフォーマットは、図５に示したフォーマットである。
【０２７４】
図２５Ａのクリップファイルのクリップに対して、ユーザによりイン点とアウト点、並びに再生順が指定されると、図２５Ｂに示すように、記録制御部３２２は、クリップのイン点からアウト点までの編集区間のデータを、サブクリップのクリップファイルとして、光ディスク２２Ａから光ディスク２１Ａに複写する。
【０２７５】
なお、図２５Ｂのサブクリップのクリップファイルのフォーマットは、図５に示したフォーマットと同様であるが、ヘッダメタデータに記述されるFPUMIDは、このサブクリップのクリップファイルの基になったクリップファイル、即ち編集対象とされたクリップのクリップファイルのMPUMIDの一部を加工したものとなっている。従って、記録制御部３２２は、サブクリップのクリップファイルのヘッダのFPUMIDを参照することにより、そのクリップファイルの基になったクリップファイルのMPUMIDを認識することができる。
【０２７６】
図２４の余裕変更画面３４０において、図２５Ｂに示したサブクリップのクリップファイルに関する記述を含むエディットリストに対して余裕時間が設定されると、記録制御部３２２は、そのクリップファイルのFPUMIDから、基になったクリップファイルのMPUMIDを認識し、MPUMIDと余裕時間を読出部３３１に供給して、余裕データの送信を読出部３３１に要求する。
【０２７７】
読出部３３１は、記録制御部３２２から供給されるMPUMIDに基づいて、光ディスク２２Ａに記録されている、サブクリップのクリップファイルの基になったクリップファイルを読み出し、そのクリップファイルのクリップのうちのサブクリップの前後の余裕時間分の素材データを余裕データとして、記録制御部３２２に送信する。そして、記録制御部３２２は、図２５Ｃに示すように、読出部３３１から受信した余裕データを、サブクリップのクリップファイルのボディの前後に追加する。
【０２７８】
なお、読み出し部３３１は、メタデータファイルに基づいて、余裕データに対応するノンリアルタイムメタデータを作成し、そのノンリアルタイムメタデータを余裕データとともに、記録制御部３２２に送信するようにしてもよい。この場合、記録制御部３２２は、ノンリアルタイムメタデータを、サブクリップのメタデータファイルに追加する。
【０２７９】
次に、図２６を参照して、図２３の集約部３００が編集データの集約前に行う集約前処理について説明する。この集約前処理は、例えば、ユーザが操作部４２を操作することにより、ビデオ編集の開始を指令したとき、開始される。
【０２８０】
図２６の集約前処理は、図１４の集約前処理のステップＳ８の処理を削除したものである。即ち、図２６のステップＳ２０１乃至Ｓ２０７の処理は、図１４のステップＳ１乃至Ｓ７の処理と同様であり、図２６のステップＳ２１１と２１２の処理は、図１４のステップＳ１１とＳ１２の処理と同様である。
【０２８１】
図２６の集約前処理の後、集約部３００は、図１５に示した余裕無し集約処理を行い、編集データを光ディスク２１Ａに集約する。そして、この後、ユーザにより、例えば、余裕データの追加に関する指令の１つとして、図２４の余裕変更画面３４０の表示が指令されると、集約部３００は、図２７に示す余裕データを追加する追加処理を行う。
【０２８２】
図２７のステップＳ２３１において、複写先処理部３１１の表示制御部９３は、受付部３２１からの、余裕変更画面３４０の表示の指令に対応する操作信号に応じて、余裕変更画面３４０を表示させる。
【０２８３】
ステップＳ２３２において、受付部９１は、余裕時間を変更するエディットリストが決定されたかどうか、即ち、図２４の余裕変更画面３４０において決定ボタン３４４が操作されたかどうかを判定し、余裕時間を変更するエディットリストが決定されたと判定した場合、ステップＳ２３３に進む。
【０２８４】
ステップＳ２３３において、表示制御部９３は、図８の余裕設定画面１７０を表示させ、ステップＳ２３４に進む。ステップＳ２３４において、受付部９１は、０秒以外の余裕時間が設定されたかどうかを判定し、０秒以外の余裕時間が設定されていないと判定した場合、処理を終了する。
【０２８５】
一方、ステップＳ２３４において、０秒以外の余裕時間が設定されたと判定された場合、ステップＳ２３５に進み、記録制御部３２２は、余裕時間が設定されたエディットリストで参照されるサブクリップのクリップファイルのヘッダメタデータに記述されるFPUMIDに基づいて、そのクリップファイルの基になったクリップファイルのMPUMIDを認識する。
【０２８６】
ステップＳ２３５の処理後は、ステップＳ２３６に進み、記録制御部３２２は、ステップＳ２３５で認識されたMPUMIDと余裕時間を複写元処理部３１２の読出部３３１に供給し、余裕データの送信を読出部３３１に要求する。
【０２８７】
ステップＳ２５１において、記録制御部３２２は、ステップＳ２３６で送信されてくる要求を受け付け、ステップＳ２５２に進む。
【０２８８】
ステップＳ２５２において、読出部３３１は、記録制御部３２２からのMPUMIDに基づいて、そのMPUMIDが付与されたクリップファイルを、光ディスク２２Ａから検索し、ステップＳ２５３に進む。
【０２８９】
ステップＳ２５３において、読出部３３１は、記憶制御部３２２から供給されるMPUMIDが付与されたクリップファイルが光ディスク２２Ａから検索されたかどうかを判定し、クリップファイルが検索されたと判定した場合、ステップＳ２５４に進む。
【０２９０】
ステップＳ２５４において、読出部３３１は、記録制御部３２２から供給される余裕時間と、図１５のステップＳ５４で記録されたクリップエディットリストとに基づいて、検索されたクリップファイルのうち、編集区間の前後の余裕時間分のデータを、余裕データとして読み出し、記録制御部３２２に送信して、処理を終了する。
【０２９１】
一方、ステップＳ２５３において、クリップファイルが検索されていないと判定された場合、処理は終了する。
【０２９２】
ステップＳ２３７において、記録制御部３２２は、ステップＳ２５４において読出部３３１から送信されてくる余裕データを受信し、ステップＳ２３８に進む。ステップＳ２３８において、記録制御部３２２は、余裕時間が設定されたエディットリストに対応するサブクリップのクリップファイルのボディ部に配置されるサブクリップに、読出部３３１から受信した余裕データを追加する。その結果、図２５Ｃに示したように、ボディ部に余裕データが追加されたサブクリップが配置されたクリップファイルが作成される。
【０２９３】
ステップＳ２３８の処理後は、ステップＳ２３９に進み、記録制御部３２２は、エディットリストに記述されている、余裕データが付加されたサブクリップのクリップファイルのイン点を示すFTCを、余裕時間に変更し、ステップＳ２４０に進む。
【０２９４】
ステップＳ２４０において、記録制御部３２２は、エディットリストに記述されている、余裕データが付加されたサブクリップのクリップファイルのアウト点を示すFTCを、ステップＳ２３９で変更されたイン点に、図１６のステップＳ７６で計算された使用時間長を加算した値に変更し、処理を終了する。
【０２９５】
一方、ステップＳ２３２において、余裕時間を変更するエディットリストが選択されていないと判定された場合、ステップＳ２４１に進み、受付部９１は、余裕変更画面３４０の表示を終了するかどうか、即ちユーザにより終了ボタン３４５が操作されたかどうかを判定する。
【０２９６】
ステップＳ２４１において、余裕変更画面３４０の表示を終了しないと判定された場合、ステップＳ２３２に戻り、余裕時間を変更するエディットリストが設定されるか、または、終了ボタン３４５が操作されるまで待機する。
【０２９７】
また、ステップＳ２４１において、余裕変更画面３４０の表示を終了すると判定された場合、処理は終了する。
【０２９８】
なお、上述した図２３乃至図２７では、サブクリップのクリップファイルのFPUMIDが、そのクリップファイルの基になったクリップファイルのMPUMIDを加工したものとなるようにしたが、FPUMIDが、基になったクリップファイルのMPUMIDと無関係に付与される場合、基になったクリップファイルのMPUMIDがエディットリストファイルに記述されるようにしてもよい。この場合のエディットリストの例を図２８に示す。
【０２９９】
図２８のエディットリストのref要素には、参照先のファイルが、光ディスク２２Ａに記録されているクリップファイルを基に作成されるサブクリップのクリップファイルである場合、図１３のref要素に記述される内容のほかに、参照先のファイルの基になったクリップファイルのMPUMIDが記述される。
【０３００】
即ち、図２８の７乃至９行目のref要素のうち、７行目の記述は図１３の７行目の記述と同一であり、参照先のファイルに割り当てられたMPUMIDが示されている。８行目の「origin="urn:smpte:umid:060A2B340101010501010D431300000070D3020009350597080046020118F593"」の記述は、参照先のファイルがサブクリップのクリップファイルであり、そのクリップファイルの基になったクリップファイルのMPUMIDが「060A2B340101010501010D431300000070D3020009350597080046020118F593」であることを示している。また、９行目の記述は、図１３の８行目の記述と同一である。
【０３０１】
また、第２のクリップについても、１１乃至１３行目において、第１のクリップの場合と同様に記述されている。
【０３０２】
以上のようにして、図２８のエディットリストでは、対応するサブクリップが、サブクリップのクリップファイルとして光ディスク２１Ａに記録される場合、そのサブクリップのクリップファイルのMPUMIDとともに、基になったクリップファイルのMPUMIDが記述される。
【０３０３】
なお、エディットリストにMPUMIDが記述される場合も、サブクリップのクリップファイルのヘッダに記述されるFPUMIDが、基になったクリップファイルのMPUMIDを加工したものである場合と同様に、集約部３００は、図２６の集約前処理、図１５の余裕無し集約処理、および図２７の追加処理を行う。
【０３０４】
但し、図１５のステップＳ４５において、記録制御部３２２は、再生順の指定対象である編集対象とする素材データのクリップファイルに付与されるMPUMIDを、図１６のステップＳ７２またはＳ７４で記述されるMPUMIDとともに、エディットリストに記述する。また、図２７のステップＳ２３５では、記録制御部３２２は、余裕時間が設定されたエディットリストの記述内容から、サブクリップのクリップファイルの基になったクリップファイルのMPUMIDを認識する。
【０３０５】
さらに、上述した図２３乃至図２８では、既にサブクリップに余裕データが付加されているエディットリストに対しては、余裕時間を設定しないものとしたが、既にサブクリップに付加されている余裕データの余裕時間に比べて大きい時間であれば、新たな余裕時間として設定することが可能になるようにしてもよい。この場合、図２７のステップＳ２３４では、受付部９１が、変更前の余裕時間に比べて大きい余裕時間が設定されたかどうかを判定する。
【０３０６】
また、上述した説明では、光ディスク２１Ａと２２Ａに記録されているクリップを編集対象としたが、光ディスク２１Ａと２２Ａに記録されているエディットリストに対応するサブクリップを編集対象としてもよい。
【０３０７】
この場合の集約部の機能的構成例を図２９に示す。
【０３０８】
図２９の集約部４００は、複写先処理部４０１と、複写元処理部４０２により構成される。なお、図２９において、図３と同一のものには同一の符号を付してあり、説明は繰り返しになるので省略する。
【０３０９】
複写先処理部４０１は、受付部９１、表示制御部９３、および記録制御部４１１により構成される。
【０３１０】
記録制御部４１１は、受付部９１からの操作信号に応じて、光ディスク２１Ａと２２Ａに記録されているエディットリストに対応するサブクリップのノンリニア編集を行うとともに、その編集結果の編集データを光ディスク２１Ａに集約する。
【０３１１】
具体的には、記録制御部４１１は、受付部９１からの操作信号に応じて、光ディスク２２Ａに記録されている、編集対象とするサブクリップに対応するエディットリストの送信を、複写元処理部４０２の読出部４２１に要求し、その要求に応じて読出部４２１から送信されてくるエディットリストを受信する。
【０３１２】
記録制御部４１１は、受付部９１からの操作信号と、光ディスク２１Ａと光ディスク２２Ａに記録されているエディットリストとに基づいて、新たなエディットリストを作成し、光ディスク２１Ａに記録させる。
【０３１３】
また、記録制御部４１１は、図３の記録制御部９２と同様に、受付部９１からの操作信号に応じて、光ディスク２２Ａに記録されている素材データのうちのサブクリップ、または、余裕データが追加されたサブクリップを読出部４２１に要求し、その要求に応じて送信されてくるサブクリップまたは余裕データが追加されたサブクリップを光ディスク２１Ａに記録させる。
【０３１４】
複写元処理部４０２は、読出部４２１により構成される。
【０３１５】
読出部４２１は、記録制御部４１１からの要求に応じて、光ディスク２２Ａからエディットリストを読み出し、記録制御部４１１に供給する。また、読出部４２１は、図３の読出部１０１と同様に、記録制御部４１１からの要求に応じて、光ディスク２２Ａからサブクリップ、または、余裕データが付加されたサブクリップを読み出し、記録制御部４１１に供給する。さらに、読出部４２１は、読出部１０１と同様に、表示制御部９３からの要求に応じて、光ディスク２２Ａからプロキシデータを読み出し、表示制御部９３に供給する。
【０３１６】
次に、図３０乃至図３２は、図２９の表示制御部９３が表示させる編集画面の例を示す図である。
【０３１７】
まず最初に、ユーザにより、ビデオ編集の開始が指令されると、映像モニタ４４には、編集画面の１つである図３０や図３１の編集対象選択画面４４０が表示される。図３０や図３１の編集対象選択画面４４０は、複写元用表示部４４１、複写先用表示部４４２、カーソル４４３、ディスク選択モードボタン４４４、エディットリスト選択モードボタン４４５、上方向ボタン４４６Ａと下方向ボタン４４６Ｂ、左方向ボタン４４７Ａと右方向ボタン４４７Ｂ、および決定ボタン４４８により構成される。
【０３１８】
複写元用表示部４４１は、複写元として選択される光ディスクの名称が表示されるディスク名表示部４４１Ａと、複写元として選択される光ディスクに記録されているエディットリストファイルの名称と作成日時が表示されるエディットリスト表示部４４１Ｂとにより構成される。
【０３１９】
ここでは、編集データの複写元が光ディスク２２Ａであるものとしているので、複写元として光ディスク２２Ａが選択され、ディスク名表示部４４１Ａには光ディスク２２Ａの名称「DISC2」が表示されている。また、図３０と図３１の例では、光ディスク２２Ａに記録されているファイルのディレクトリ構造が、図４に示したディレクトリ構造となっており、エディットリスト表示部４４１Ｂには、第１乃至第３のエディットリストファイルの名称の上位５文字に続いて、それぞれ、第１乃至第３のエディットリストファイルの作成日時が括弧書きで表示されている。
【０３２０】
複写先用表示部４４２は、複写元用表示部４４１と同様に、複写先として選択される光ディスクの名称が表示されるディスク名表示部４４２Ａと、複写先として選択される光ディスクに記録されているエディットリストファイルの名称と作成日時が表示されるエディットリスト表示部４４２Ｂとにより構成される。
【０３２１】
ここでは、編集データの複写先が光ディスク２１Ａであるものとしているので、複写先として光ディスク２１Ａが選択され、ディスク名表示部４４２Ａには光ディスク２１Ａの名称「DISC1」が表示されている。また、図３０と図３１の例では、光ディスク２１Ａのディレクトリ構造は、図４に示したディレクトリ構造となっており、エディットリスト表示部４４１Ｂには、第１乃至第３のエディットリストファイルの名称の上位５文字に続いて、それぞれ、第１乃至第３のエディットリストファイルの作成日時が括弧書きで表示されている。
【０３２２】
選択モードが、複写先または複写元とする光ディスクを選択するモードであるディスクモードである場合、カーソル４４３は、ディスク名表示部４４１Ａまたは４４２Ａに対応する位置に表示される。
【０３２３】
一方、選択モードが、所望のエディットリストファイルを選択するエディットリストモードである場合、カーソル４４３は、エディットリスト表示部４４２Ａまたは４４２Ｂに表示されるエディットリストファイルの名称と作成日時に対応する位置に表示され、所望のエディットリストファイルに対応する位置に移動される。
【０３２４】
ディスク選択モードボタン４４４は、選択モードをディスクモードに設定するときに操作される。エディットリスト選択モードボタン４４５は、選択モードをエディットリストモードに選択するときに操作される。
【０３２５】
選択モードがディスクモードである場合、上方向ボタン４４６Ａと下方向ボタン４４６Ｂは、ディスク表示部４４１Ａまたは４４２Ａに表示されるカーソル４４３に対応するディスク名を変更するときに操作される。例えば、選択モードがディスクモードである場合、ユーザが上方向ボタン４４６Ａまたは下方向ボタン４４６Ｂを操作すると、ディスク表示部４４１Ａまたは４４２Ａに表示される、ビデオ編集装置２３に装着されている光ディスク２１Ａまたは２２Ａのうちの一方の名称が、他方の名称に切り替わる。
【０３２６】
一方、選択モードがエディットリストモードである場合、上方向ボタン４４６Ａは、カーソル４４３を上方向に移動させるときに操作され、下方向ボタン４４６Ｂは、カーソル４４３を下方向に移動させるときに操作される。
【０３２７】
左方向ボタン４４７Ａは、選択モードによらず、カーソル４４３を左方向に移動させるときに操作される。右方向ボタン４４７Ｂは、選択モードによらず、カーソル４４３を右方向に移動させるときに操作される。
【０３２８】
選択モードがディスクモードである場合、決定ボタン４４８は、カーソル４４３の位置に対応するディスクを複写元または複写先として決定するときに操作される。一方、選択モードがエディットリストモードである場合、決定ボタン４４８は、カーソル４４３の位置に対応するエディットリストファイルを、編集対象とするサブクリップに対応するエディットリストファイル(以下、対象エディットリストファイルという)として決定するときに操作される。
【０３２９】
図３０の例では、ユーザがディスク選択モードボタン４４４を操作して、選択モードをディスクモードに設定している。なお、図３０の例では、カーソル４４３は、ディスク名表示部４４１Ａに表示されている。
【０３３０】
カーソル４４３が、まず最初に、ディスク名表示部４４１に表示されている場合、ユーザは、例えば、上方向ボタン４４６Ａまたは下方向ボタン４４６Ｂを操作して、カーソル４４３の位置に対応するディスク名表示部４４１Ａに、複写元とする光ディスクの名称（図３０の例では、「Disc2」）を表示させ、決定ボタン４４８を操作する。これにより、図３０に示すように、ディスク名表示部４４１Ａに表示される名称に対応する光ディスク２２Ａ、即ち複写先として決定された光ディスク２２Ａに記録されているエディットリストの名称と作成日時が、エディットリスト表示部４４１Ｂに表示される。
【０３３１】
次に、ユーザは、右方向ボタン４４７Ｂを操作して、カーソル４４３をディスク名表示部４４２Ａに対応する位置に移動させる。そして、ユーザは、上方向ボタン４４６Ａまたは下方向ボタン４４６Ｂを操作して、ディスク名表示部４４２Ａに複写先とする光ディスクの名称(図３０の例では、「Disc1」)を表示させ、決定ボタン４４８を操作する。これにより、図３０に示すように、ディスク名表示部４４２Ａに表示される名称に対応する光ディスク２１Ａ、即ち複写先として決定された光ディスク２１Ａに記録されているエディットリストの名称と作成日時が、エディットリスト表示部４４２Ｂに表示される。
【０３３２】
この後、ユーザがエディットリスト選択モードボタン４４５を操作して、選択モードをエディットリストモードに設定すると、図３１に示すように、カーソル４４３は、例えば、エディットリスト表示部４４１Ｂの１行目に表示されるエディットリストファイルの名称(E0001)と作成日時(2006.3.15.09:25:11)に対応する位置に表示される。
【０３３３】
ここで、ユーザは、例えば、上方向ボタン４４６Ａまたは下方向ボタン４４６Ｂを操作して、所望のエディットリストファイルに対応する位置にカーソル４４３を移動させ、決定ボタン４４８を操作する。これにより、カーソル４４３に対応するエディットリストファイルが、複写元の対象エディットリストファイルとして決定される。
【０３３４】
次に、ユーザは、例えば、右方向ボタン４４７Ｂを操作して、カーソル４４３をエディットリスト表示部４４２Ｂに移動させ、さらに、上方向ボタン４４６Ａまたは下方向ボタン４４６Ｂを操作することにより、所望のエディットリストファイルに対応する位置にカーソル４４３を移動させる。そして、ユーザは決定ボタン４４８を操作し、カーソル４４３に対応するエディットリストファイルを、複写先の対象エディットリストファイルとして決定する。
【０３３５】
以上のようにして、複写元および複写先とする光ディスク、並びに、複写元と複写先の対象エディットリストファイルが決定されると、編集対象指定画面４４０は、上述した図８の余裕設定画面１７０に変更される。そして、余裕設定画面１７０において、ユーザにより決定ボタン１７５が操作されると、余裕設定画面１７０は、図３２の編集画面４６０に変更される。
【０３３６】
図３２の編集画面４６０は、編集対象表示部４６１、編集結果表示部４６２、カーソル４６３、ALLボタン４６４、上方向ボタン４６５Ａ、下方向ボタン４６５Ｂ、左方向ボタン４６６Ａ、右方向ボタン４６６Ｂ、選択ボタン４６７、および終了ボタン４６８により構成される。
【０３３７】
編集対象表示部４６１には、複写元である光ディスク２２Ａに記録されている、複写元の対象エディットリストファイルに対応するサブクリップのサムネイル映像４６１Ａが、再生順に、左上から右上、左下から右下の順に並べて表示される。図３２の例では、複写元の対象エディットリストファイルに対応する８個のサブクリップのサムネイル映像４６１Ａが表示されている。
【０３３８】
編集結果表示部４６２には、複写先である光ディスク２１Ａに記録されている、複写先の対象エディットリストファイルに対応するサブクリップのサムネイル映像４６２Ａが、再生順に左から右に並べて表示される。図３２の例では、複写先の対象エディットリストファイルに対応する３個のサブクリップのサムネイル映像４６２Ａが表示されている。
【０３３９】
カーソル４６３は、編集対象表示部４６１に表示されるサムネイル映像４６１Ａに対応する位置に表示される。カーソル４６３は、ユーザが所望のサブクリップのサムネイル映像４６１Ａを選択するときに操作され、ユーザの所望のサムネイル映像４６１Ａの表示位置に対応する位置に移動される。
【０３４０】
ALLボタン４６４は、光ディスク２２Ａに記録されている、複写元の対象エディットリストファイルに対応するサブクリップをすべて編集対象として選択するときに操作される。
【０３４１】
上方向ボタン４６５Ａは、カーソル４６３を上方向に移動させるときに操作され、下方向ボタン４６５Ｂは、カーソル４６３を下方向に移動させるときに操作される。右方向ボタン４６６Ａは、カーソル４６３を右方向に移動させるときに操作され、左方向ボタン４６６Ｂは、カーソル４６３を左方向に移動させるときに操作される。
【０３４２】
選択ボタン４６７は、カーソル４６３に対応するサムネイル映像４６１Ａを選択するときに操作（クリック）される。また、選択ボタン４６７は、複数のサムネイル映像４６１Ａを選択するときに、ダブルクリックされる。ユーザが、選択ボタン４６７をダブルクリックした後、上方向ボタン４６５Ａ、下方向ボタン４６５Ｂ、左方向ボタン４６６Ａ、または右方向ボタン４６６Ｂを操作し続ける場合、カーソル４６３は、操作開始時の位置に対応するサムネイル映像４６１Ａから、操作終了時の位置に対応するサムネイル映像４６１Ａまでのすべてのサムネイル映像４６１Ａを囲うように表示され、カーソル４６３に対応するすべてのサムネイル映像４６１Ａが選択される。
【０３４３】
終了ボタン４６８は、編集を終了するときに、操作される。
【０３４４】
図３２の編集画面４６０が映像モニタ４４に表示されると、ユーザは、上方向ボタン４６５Ａまたは下方向ボタン４６５Ｂ、もしくは、右方向ボタン４６６Ａまたは左方向ボタン４６６Ｂを操作して、カーソル４６３を編集対象とするサブクリップのサムネイル映像４６１Ａに移動させる。そして、ユーザは選択ボタン４６７を操作することにより、そのサムネイル映像４６１Ａに対応するサブクリップを、編集対象として選択する。
【０３４５】
図３２の例では、ユーザは、６番目のサムネイル映像４６１Ａにカーソル４６３を移動させた後、８番目のサムネイル映像４６１Ａにカーソル４６３が移動するまで右方向ボタン４６６Ｂを操作し続けることにより、カーソル４６３を、６乃至８番目のサムネイル映像４６１Ａに対応する位置に表示させる。この後、ユーザは、選択ボタン４６７を操作して、カーソル４６３に対応する６乃至８番目のサムネイル映像４６１Ａに対応するサブクリップを、編集対象として選択する。
【０３４６】
また、ユーザは、カーソル４６３に対応するサムネイル映像４６１Ａを、編集結果表示部４６２内の所望の位置にドラックアンドドロップすることにより、複写先の対象エディットリストファイルを更新させる。
【０３４７】
図３２の例では、ユーザは、カーソル４６３に対応する６乃至８番目のサムネイル映像４６１Ａを、編集結果表示部４６２に表示されている３個のサムネイル映像４６２Ａのうちの、２番目と３番目のサムネイル映像４６２Ａの間にドラックアンドドロップする。これにより、記録制御部９２は、２番目のサムネイル映像４６２Ａに対応するサブクリップの次に、６乃至８番目のサムネイル映像４６１Ａに対応するサブクリップが再生されるように、編集結果表示部４６２に対応するエディットリストファイルを更新する。
【０３４８】
次に、図３３を参照して、図２９の集約部４００が編集データの集約前に行う集約前処理について説明する。この集約前処理は、例えば、編集対象選択画面４４０において、ユーザが操作部４２を操作することにより、光ディスク２１Ａを複写先に決定し、光ディスク２２Ａを複写元に決定したとき、開始される。
【０３４９】
ステップＳ３０１乃至Ｓ３０３の処理は、図１４のステップＳ１乃至Ｓ３の処理と同様であり、ステップＳ３２１とＳ３２２の処理は、図１４のステップＳ１１とＳ１２の処理と同様であるので、説明は省略する。
【０３５０】
ステップＳ３０４において、表示制御部９３は、光ディスク２１Ａと２２Ａのディレクトリ情報に基づいて、図３０や図３１に示すように、編集対象選択画面４４０のエディットリスト表示部４４１Ｂに、光ディスク２２Ａに記録されているエディットリストファイルの名称と日時を表示させ、エディットリスト表示部４４２Ｂに、光ディスク２１Ａに記録されているエディットリストファイルの名称と日時を表示させる。
【０３５１】
ここで、ユーザは、エディットリスト選択モードボタン４４５を操作して、カーソル４４３をエディットリスト表示部４４２Ａまたは４４２Ｂに表示させ、複写元または複写先に記録されているエディットリストのうち、複写元または複写先の対象エディットリストファイルとするエディットリストファイルを決定する。
【０３５２】
ステップＳ３０４の処理後は、ステップＳ３０５に進み、受付部９１は、複写元と複写先の対象エディットリストファイルが決定されたかどうかを判定し、複写元と複写先の対象エディットリストファイルが決定されていないと判定した場合、複写元と複写先の対象エディットリストファイルが決定されるまで待機する。
【０３５３】
一方、ステップＳ３０５において、複写元と複写先の対象エディットリストファイルが決定されたと判定された場合、ステップＳ３０６に進み、表示制御部９３は、図８の余裕設定画面１７０を表示させ、処理を終了する。
【０３５４】
この後、ユーザが余裕設定画面１７０において余裕時間を０秒に決定すると、図２９の集約部４００は、図３４の余裕無し処理を行う。
【０３５５】
図３４のステップＳ３４１において、複写先処理部４０１の表示制御部９３は、図３１の編集対象指定画面４４０において決定された、複写元の対象エディットリストファイルに対応するサブクリップのプロキシデータの送信を、複写元処理部４０２の読出部４２１に要求し、ステップＳ３４２に進む。
【０３５６】
ステップＳ３６１において、読出部４２１は、表示制御部９３から送信されてくる要求を受け付け、ステップＳ３６２に進む。ステップＳ３６２において、読出部４２１は、表示制御部９３により送信が要求されたサブクリップのプロキシデータを、光ディスク２２Ａから読み出して表示制御部９３に送信し、ステップＳ３６３に進む。
【０３５７】
ステップＳ３４２において、表示制御部９３は、読出部４２１から送信されてくるプロキシデータを受信し、ステップＳ３４３に進む。ステップＳ３４３において、表示制御部９３は、図３１の編集対象指定画面４４０において決定された、複写先の対象エディットリストファイルに対応するサブクリップのプロキシデータを読み出し、そのプロキシデータと、読出部４２１から受信したプロキシデータとを用いて、図３２の編集画面４６０を映像モニタ４４に表示させる。
【０３５８】
具体的には、表示制御部９３は、読出部４２１からのプロキシデータを用いてサムネイル映像データを作成し、編集対象表示部４６１に表示させる。また、表示制御部９３は、光ディスク２１Ａから読み出したプロキシデータを用いてサムネイル映像データを作成し、編集結果表示部４６２に表示させる。さらに、表示制御部９３は、カーソル４６３、ALLボタン４６４、上方向ボタン４６５Ａ、下方向ボタン４６５Ｂ、左方向ボタン４６６Ａ、右方向ボタン４６６Ｂ、選択ボタン４６７、および終了ボタン４６８を表示させる。
【０３５９】
ここで、ユーザは、上方向ボタン４６５Ａ、下方向ボタン４６５Ｂ、左方向ボタン４６６Ａ、または右方向ボタン４６６Ｂを操作して、カーソル４６３を編集対象とするサブクリップのサムネイル映像４６１Ａに対応する位置に表示させたり、ALLボタン４６４を操作し、その後、選択ボタン４６７を操作することにより、編集対象とするサブクリップを選択する。
【０３６０】
ステップＳ３４３の処理後は、ステップＳ３４４に進み、表示制御部９３は、受付部９１からの操作信号に応じて、編集対象とするサブクリップが選択されたかどうか、即ち編集画面４６０において選択ボタン４６７が操作されたかどうかを判定する。ステップＳ３４４において、編集対象とするサブクリップが選択されていないと判定された場合、編集対象とするサブクリップが選択されるまで待機する。
【０３６１】
一方、ステップＳ３４４において、編集対象とするサブクリップが選択されたと判定された場合、ステップＳ３４５に進み、記録制御部４１１は、編集対象とするサブクリップに対応するエディットリストの送信を、読出部４２１に要求する。
【０３６２】
ステップＳ３６３において、読出部４２１は、ステップＳ３４６で記録制御部４１１から供給される要求を受け付け、ステップＳ３６４に進む。ステップＳ３６４において、読出部４２１は、光ディスク２２Ａから複写元の対象エディットリストファイルを読み出し、編集対象とするサブクリップが、複写元の対象エディットリストファイルに対応するすべてのサブクリップであるかどうか、即ち、編集画面４６０においてALLボタン４６４が操作されたかどうかを判定する。
【０３６３】
ステップＳ３６４において、読出部４２１は、編集対象とするサブクリップが、複写元の対象エディットリストファイルに対応するすべてのサブクリップであると判定した場合、複写元の対象エディットリストファイルのエディットリストを、編集対象とするサブクリップに対応するエディットリストとして、ステップＳ３６５をスキップし、ステップＳ３６６に進む。
【０３６４】
一方、ステップＳ３６４において、編集対象とするサブクリップが、複写元の対象エディットリストファイルに対応するすべてのサブクリップではないと判定された場合、ステップＳ３６５に進み、読出部４２１は、ステップＳ３６４で読み出した複写元の対象エディットリストファイルに基づいて、編集対象とするサブクリップに対応するエディットリストを作成する。具体的には、読出部４２１は、複写元の対象エディットリストファイルの記述のうち、編集対象とするサブクリップ以外のサブクリップに関する記述を削除し、その結果得られるエディットリストを、編集対象とするサブクリップに対応するエディットリストとする。
【０３６５】
ステップＳ３６６において、読出部４２１は、編集対象とするサブクリップに対応するエディットリストを、記録制御部４１１に送信し、ステップＳ３６７に進む。
【０３６６】
ステップＳ３４６において、記録制御部４１１は、ステップＳ３６６で送信されてくるエディットリストを受信し、ステップＳ３４７に進む。ステップＳ３４７において、記録制御部４１１は、読出部４２１から送信されてきたエディットリストに基づいて、編集画面４６０においてサムネイル映像４６１Ａがドロップされた編集結果表示部４６２内の位置に対応する再生時刻に、編集対象とするサブクリップが再生されるように、光ディスク２１Ａに記録されている複写先の対象エディットリストファイルを更新する。
【０３６７】
例えば、図３２に示すように、編集対象表示部４６１に表示される６乃至８番目のサムネイル映像４６１Ａが、編集結果表示部４６２に表示される２番目と３番目のサムネイル映像４６２Ａの間にドラッグアンドドロップされる場合、記録制御部４１１は、読出部４２１からのエディットリストに基づいて、２番目と３番目のサムネイル映像４６２Ａに対応するサブクリップの再生の間に、６乃至８番目のサムネイル映像４６１Ａに対応するサブクリップが再生されるように、光ディスク２１Ａから読み出された複写先の対象エディットリストファイルを更新する。
【０３６８】
ステップＳ３４７の処理後は、ステップＳ３４８に進み、記録制御部４１１は、編集対象とするサブクリップのサブクリップデータの送信を要求し、ステップＳ３４９に進む。
【０３６９】
ステップＳ３６７において、読出部４２１は、記録制御部４１１から送信されてくる要求を受け付け、ステップＳ３６８に進む。ステップＳ３６８において、読出部４２１は、記録制御部４１１により送信が要求されたサブクリップデータを、光ディスク２２Ａから読み出して記録制御部４１１に送信し、処理を終了する。
【０３７０】
ステップ３４９において、記録制御部４１１は、読出部４２１から送信されてくるサブクリップデータを受信し、ステップＳ３５０に進む。ステップＳ３５０において、記録制御部４１１は、受信したサブクリップデータのうち、サブクリップをクリップファイルとして光ディスク２１Ａに記録させるとともに、ノンリアルタイムメタデータをメタデータファイルとして記録させる。
【０３７１】
ステップＳ３５０の処理後は、ステップＳ３５１に進み、表示制御部９３は、ユーザにより光ディスク２２Ａに記録されているサブクリップの編集の終了が指令されたかどうか、即ち終了ボタン４６８が操作されたかどうかを判定し、終了が指令されていないと判定した場合、ステップＳ３４４に戻り、上述した処理を繰り返す。
【０３７２】
一方、ステップＳ３５１において、ユーザにより光ディスク２２Ａに記録されているサブクリップの編集の終了が指令されたと判定された場合、余裕無し集約処理は終了する。
【０３７３】
次に、図３１の編集対象指定画面４４０において、複写先と複写元の両方が、光ディスク２１Ａに決定される場合について説明する。
【０３７４】
この場合、図２９の記録制御部４１１は、受付部９１からの操作信号に応じて、光ディスク２１Ａに記録されているエディットリストに対応するサブクリップのノンリニア編集を行う。具体的には、記録制御部４１１は、受付部９１からの操作信号と、光ディスク２１Ａに記録されているエディットリストとに基づいて、新たなエディットリストを作成し、光ディスク２１Ａに記録させる。また、複写元処理部４０２の読出部４２１は何も処理を行わない。
【０３７５】
図３５を参照して、図２９の集約部４００が光ディスク２１Ａに記録されているサブクリップの編集前に行う編集前処理について説明する。この編集前処理は、例えば、編集対象選択画面４４０において、ユーザが操作部４２を操作することにより、光ディスク２１Ａを複写先および複写元の両方に決定したとき、開始される。
【０３７６】
ステップＳ３８１において、表示制御部９３は、光ディスク２１Ａに記録されているファイルのディレクトリ情報（図４）を読み出し、ステップＳ３８２に進む。
【０３７７】
ステップＳ３８２において、表示制御部９３は、光ディスク２１Ａのディレクトリ情報に基づいて、編集対象選択画面４４０のエディットリスト表示部４４１Ｂと４４２Ｂに、光ディスク２１Ａに記録されているエディットリストファイルの名称と日時を表示させる。
【０３７８】
ステップＳ３８２の処理後は、ステップＳ３８３に進み、受付部９１は、複写元と複写先の対象エディットリストファイルが決定されたかどうかを判定し、複写元と複写先の対象エディットリストファイルが決定されていないと判定した場合、複写元と複写先の対象エディットリストファイルが決定されるまで待機する。
【０３７９】
一方、ステップＳ３８３において、複写元と複写先の対象エディットリストファイルが決定されたと判定された場合、処理は終了する。
【０３８０】
この後、図２９の集約部４００は、図３６に示すように、サブクリップを編集する編集処理を行う。
【０３８１】
図３６のステップＳ４０１において、表示制御部９３は、図３１の編集対象指定画面４４０において決定された複写元と複写先の対象エディットリストファイルに対応するサブクリップのプロキシデータを光ディスク２１Ａから読み出し、そのプロキシデータを用いて、図３２の編集画面４６０を映像モニタ４４に表示させる。
【０３８２】
具体的には、表示制御部９３は、複写元の対象エディットリストファイルに対応するプロキシデータを用いてサムネイル映像データを作成し、編集対象表示部４６１に表示させる。また、表示制御部９３は、複写元の対象エディットリストファイルに対応するプロキシデータを用いてサムネイル映像データを作成し、編集結果表示部４６２に表示させる。さらに、表示制御部９３は、カーソル４６３、ALLボタン４６４、上方向ボタン４６５Ａ、下方向ボタン４６５Ｂ、左方向ボタン４６６Ａ、右方向ボタン４６６Ｂ、選択ボタン４６７、および終了ボタン４６８を表示させる。
【０３８３】
ステップＳ４０１の処理後は、ステップＳ４０２に進み、表示制御部９３は、受付部９１からの操作信号に応じて、編集対象とするサブクリップが選択されたかどうかを判定する。ステップＳ４０２において、編集対象とするサブクリップが選択されていないと判定された場合、編集対象とするサブクリップが選択されるまで待機する。
【０３８４】
一方、ステップＳ４０２において、編集対象とするサブクリップが選択されたと判定された場合、ステップＳ４０３に進み、記録制御部４１１は、光ディスク２１Ａから、複写元の対象エディットリストファイルを読み出し、編集対象とするサブクリップが、複写元の対象エディットリストファイルに対応するすべてのサブクリップであるかどうかを判定する。
【０３８５】
ステップＳ４０３において、記録制御部４１１は、編集対象とするサブクリップが、複写元の対象エディットリストファイルに対応するすべてのサブクリップであると判定した場合、複写元の対象エディットリストファイルのエディットリストを、編集対象とするサブクリップに対応するエディットリストとして、ステップＳ４０４をスキップし、ステップＳ４０５に進む。
【０３８６】
一方、ステップＳ４０３において、編集対象とするサブクリップが、複写元の対象エディットリストファイルに対応するすべてのサブクリップではないと判定された場合、ステップＳ４０４に進み、記録制御部４１１は、ステップＳ４０３で読み出した複写元の対象エディットリストファイルに基づいて、編集対象とするサブクリップに対応するエディットリストを作成し、ステップＳ４０５に進む。
【０３８７】
ステップＳ４０５において、記録制御部４１１は、編集対象とするサブクリップに対応するエディットリストに基づいて、編集画面４６０においてサムネイル映像４６１Ａがドロップされた編集結果表示部４６２内の位置に対応する再生時刻に、編集対象とするサブクリップが再生されるように、複写先の対象エディットリストファイルを更新する。
【０３８８】
ステップＳ４０５の処理後は、ステップＳ４０６に進み、表示制御部９３は、ユーザにより編集の終了が指令されたかどうか、即ち終了ボタン４６８が操作されたかどうかを判定し、終了が指令されていないと判定した場合、ステップＳ４０２に戻り、上述した処理を繰り返す。
【０３８９】
一方、ステップＳ４０６において、ユーザにより編集の終了が指令されたと判定された場合、編集処理は終了する。
【０３９０】
なお、本実施の形態では、素材データを光ディスクに記録させるものとしたが、例えば磁気ディスク、光磁気ディスク、メモリカード、着脱式ハードディスクドライブなどに記録させるようにしてもよい。
【０３９１】
本明細書において、プログラム記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０３９２】
また、本明細書において、システムとは、複数の装置により構成される装置全体を表すものである。
【０３９３】
なお、本発明の実施の形態は、上述した実施の形態に限定されるものではなく、本発明の要旨を逸脱しない範囲において種々の変更が可能である。
【図面の簡単な説明】
【０３９４】
【図１】本発明を適用した簡易編集システムの一実施の形態の構成例を示す図である。
【図２】ビデオ編集装置のハードウェアの構成例を示すブロック図である。
【図３】集約部の機能的構成例を示すブロック図である。
【図４】光ディスクに記録されているファイルのディレクトリ構造の例を示す図である。
【図５】クリップファイルのフォーマットの例を示す図である。
【図６】編集画面の例を示す図である。
【図７】他の編集画面の例を示す図である。
【図８】さらに他の編集画面の例を示す図である。
【図９】さらに他の編集画面の例を示す図である。
【図１０】さらに他の編集画面の例を示す図である。
【図１１】さらに他の編集画面の例を示す図である。
【図１２】さらに他の編集画面の例を示す図である。
【図１３】エディットリストの例を示す図である。
【図１４】集約前処理について説明するフローチャートである。
【図１５】余裕無し集約処理について説明するフローチャートである。
【図１６】エディットリスト作成処理の詳細について説明するフローチャートである。
【図１７】余裕有り集約処理について説明するフローチャートである。
【図１８】要求対象決定処理について説明するフローチャートである。
【図１９】エディットリスト変更処理について説明するフローチャートである。
【図２０】編集処理について説明するフローチャートである。
【図２１】集約部の他の機能的構成例を示すブロック図である。
【図２２】他の余裕無し集約処理について説明するフローチャートである。
【図２３】集約部のさらに他の機能的構成例を示すブロック図である。
【図２４】余裕変更画面の例を示す図である。
【図２５】余裕データの追加について説明するフローチャートである。
【図２６】他の集約前処理について説明するフローチャートである。
【図２７】追加処理について説明するフローチャートである。
【図２８】エディットリストの他の例を示す図である。
【図２９】集約部のさらに他の機能的構成例を示すブロック図である。
【図３０】さらに他の編集画面の例を示す図である。
【図３１】さらに他の編集画面の例を示す図である。
【図３２】さらに他の編集画面の例を示す図である。
【図３３】さらに他の集約前処理について説明するフローチャートである。
【図３４】他の余裕無し処理を説明するフローチャートである。
【図３５】編集前処理について説明するフローチャートである。
【図３６】他の編集処理を説明するフローチャートである。
【符号の説明】
【０３９５】
２１Ａ,２２Ａ  光ディスク，  ２３  ビデオ編集装置，  ４５  リムーバブルメディア，  ５２  マイコン，  ６５  一時記憶メモリ，  ６９  ハードディスク，  ８０  集約部,  ８１  複写先処理部,  ８２  複写元処理部,  ９１  受付部,  ９２  記録制御部,  ９３  表示制御部
【図１】
2008027492.tif 000003
【図２】
2008027492.tif 000004
【図３】
2008027492.tif 000005
【図４】
2008027492.tif 000006
【図５】
2008027492.tif 000007
【図６】
2008027492.tif 000008
【図７】
2008027492.tif 000009
【図８】
2008027492.tif 000010
【図９】
2008027492.tif 000011
【図１０】
2008027492.tif 000012
【図１１】
2008027492.tif 000013
【図１２】
2008027492.tif 000014
【図１３】
2008027492.tif 000015
【図１４】
2008027492.tif 000016
【図１５】
2008027492.tif 000017
【図１６】
2008027492.tif 000018
【図１７】
2008027492.tif 000019
【図１８】
2008027492.tif 000020
【図１９】
2008027492.tif 000021
【図２０】
2008027492.tif 000022
【図２１】
2008027492.tif 000023
【図２２】
2008027492.tif 000024
【図２３】
2008027492.tif 000025
【図２４】
2008027492.tif 000026
【図２５】
2008027492.tif 000027
【図２６】
2008027492.tif 000028
【図２７】
2008027492.tif 000029
【図２８】
2008027492.tif 000030
【図２９】
2008027492.tif 000031
【図３０】
2008027492.tif 000032
【図３１】
2008027492.tif 000033
【図３２】
2008027492.tif 000034
【図３３】
2008027492.tif 000035
【図３４】
2008027492.tif 000036
【図３５】
2008027492.tif 000037
【図３６】
2008027492.tif 000038